(57)【要約】【課題】固体洗浄用組成物の改善。【解決手段】固体洗浄用組成物は、固化界面活性剤ブレンドを含む。固化界面活性剤ブレンドは、少なくとも１つの金属アルキルエーテル硫酸塩を含む。固化界面活性剤ブレンドは、（２）固体界面活性剤および任意選択で（３）ポリエチレングリコールも含む。さらに、（１）および（２）は、固化界面活性剤ブレンドの総重量に基づいて、３０：７０〜７０：３０の重量比で存在する。固体洗浄用組成物は、ブルックフィールド粉末流動テスターを使用して決定された非凝集性粉末流動特性を有する。【選択図】なし【特許請求の範囲】
【請求項１】
（１）下記式を有する少なくとも１つの金属アルキルエーテル硫酸塩であって、
【化１】
2021512212.tif 000031
式中、第１の金属が、ナトリウム、カリウム、マグネシウム、またはカルシウムであり、ａが１または２であり、ＡＯがエチレンオキシド、プロピレンオキシド、またはそれらの組み合わせであり、ｘが０．１〜３であり、ｙが１１〜１３である、金属アルキルエーテル硫酸塩と、
（２）固体界面活性剤と、を含む固化界面活性剤ブレンドであり、
（１）および（２）が、前記固化界面活性剤ブレンドの総重量に基づいて、約３０：７０〜約４０：６０の重量比で存在し、
前記固化界面活性剤ブレンドが、ブルックフィールド粉末流動テスターを使用して決定した０．４未満の流れ関数値を有する、固化界面活性剤ブレンド。
【請求項２】
（３）ポリエチレングリコールをさらに含む、請求項１に記載の固化界面活性剤ブレンド。
【請求項３】
（２）が、（４）次式を有する少なくとも１つの金属アルキル硫酸塩としてさらに定義され、
【化２】
2021512212.tif 000032
式中、第２の金属が、ナトリウム、カリウム、マグネシウム、またはカルシウムであり、ｂが１または２であり、ｚが１１〜１３である、請求項１または２に記載の固化界面活性剤ブレンド。
【請求項４】
添加剤成分をさらに含み、
（１）および（２）が、前記固化界面活性剤ブレンドの総重量に基づいて２５〜８５重量パーセントの量で存在し、前記ポリエチレングリコールが、前記固化界面活性剤ブレンドの総重量に基づいて約１〜約２０重量パーセントであり、前記添加剤成分が、前記固化界面活性剤ブレンドの総重量に基づいて約１５〜約７０重量パーセントの量で存在する、請求項１〜３のいずれか一項に記載の固化界面活性剤ブレンド。
【請求項５】
前記第１の金属がナトリウムであり、ａが１であり、ＡＯがエチレンオキシドであり、前記第２の金属がナトリウムであり、ｂが１である、請求項３または４に記載の固化界面活性剤ブレンド。
【請求項６】
前記金属アルキルエーテル硫酸塩がラウリルエーテル硫酸ナトリウムであり、前記金属アルキル硫酸塩がラウリル硫酸ナトリウムである、請求項３〜５のいずれか一項に記載の固化界面活性剤ブレンド。
【請求項７】
ｘが１〜３である、請求項６に記載の固化界面活性剤ブレンド。
【請求項８】
前記固化界面活性剤ブレンドが、
（５）下記式を有する第２の金属アルキルエーテル硫酸塩成分であって、
【化３】
2021512212.tif 000033
式中、第３の金属が、ナトリウム、カリウム、マグネシウム、またはカルシウムであり、ｃが１または２であり、ＡＯがエチレンオキシド、プロピレンオキシド、またはそれらの組み合わせであり、ｍが０．１〜３であり、ｎが１１〜１３である、金属アルキルエーテル硫酸塩成分と、
（６）下記式を有する第２の金属アルキル硫酸塩であって、
【化４】
2021512212.tif 000034
式中、第４の金属が、ナトリウム、カリウム、マグネシウム、またはカルシウムであり、ｄが１または２であり、ｔが１１〜１３である、第２の金属アルキル硫酸塩と、をさらに含む、請求項１〜７のいずれか一項に記載の固化界面活性剤ブレンド。
【請求項９】
約８５〜約９５重量パーセントの前記固化界面活性剤ブレンドが、ｙおよびｚの各々が１１である、前記（１）金属アルキルエーテル硫酸塩と前記（４）金属アルキル硫酸塩との組み合わせであり、
約５〜約１５重量パーセントの前記固化界面活性剤ブレンドが、ｎおよびｔの各々が１３である、前記（５）第２の金属アルキルエーテル硫酸塩と前記（６）第２の金属アルキル硫酸塩との組み合わせである、請求項８に記載の固化界面活性剤ブレンド。
【請求項１０】
約６５〜約７５重量パーセントの前記固化界面活性剤ブレンドが、ｙおよびｚの各々が１１である、前記（１）金属アルキルエーテル硫酸塩と前記（４）金属アルキル硫酸塩との組み合わせであり、
約２５〜約３５重量パーセントの前記固化界面活性剤ブレンドが、ｎおよびｔの各々が１３である、前記（５）第２の金属アルキルエーテル硫酸塩と前記（６）第２の金属アルキル硫酸塩との組み合わせである、請求項８に記載の固化界面活性剤ブレンド。
【請求項１１】
（１）ｙが１０以下、かつ／またはｙが１４以上である、金属アルキルエーテル硫酸塩と、
（４）ｚが１０以下、かつ／またはｚが１４以上である、金属アルキル硫酸塩と、
（５）ｎが１０以下、かつ／またはｎが１４以上である、第２の金属アルキルエーテル硫酸塩と、
（６）ｔが１０以下、かつ／またはｔが１４以上である、第２の金属アルキル硫酸塩と、を含まない、請求項８〜１０のいずれか一項に記載の固化界面活性剤ブレンド。
【請求項１２】
（１）ＡＯがプロピレンオキシドである金属アルキルエーテル硫酸塩と、
（５）ＡＯがプロピレンオキシドである第２の金属アルキルエーテル硫酸塩と、を含まない、請求項８〜１０のいずれか一項に記載の固化界面活性剤ブレンド。
【請求項１３】
アルキルポリグルコシド（ＡＰＧ）を含まない、請求項１〜１２のいずれか一項に記載の固化界面活性剤ブレンド。
【請求項１４】
アミドを含まない、請求項１〜１２のいずれか一項に記載の固化界面活性剤ブレンド。
【請求項１５】
（（１）および任意選択で（５））ならびに（（４）および任意選択で（６））が、それぞれ約３０：７０〜約５０：５０の重量比で存在する、請求項８〜１４のいずれか一項に記載の固化界面活性剤ブレンド。
【請求項１６】
（（１）および任意選択で（５））ならびに（（４）および任意選択で（６））が、それぞれ３０：７０±５の重量比で存在する、請求項８〜１４のいずれか一項に記載の固化界面活性剤ブレンド。
【請求項１７】
前記固化界面活性剤ブレンドが、前記固化界面活性剤ブレンドの総重量に基づいて約０．１〜約１５重量パーセントの量のアルカリ性源をさらに含む、請求項１〜１６のいずれか一項に記載の固化界面活性剤ブレンド。
【請求項１８】
前記ポリエチレングリコールが約８，０００ｇ／ｍｏｌの重量平均分子量を有する、請求項２〜１７のいずれか一項に記載の固化界面活性剤ブレンド。
【請求項１９】
（２）が、Ｎａ  ＬＡＳ（直鎖アルキルベンゼンスルホン酸ナトリウム）、ラウリルスルホ酢酸ナトリウム、アルファオレフィンスルホン酸ナトリウム（Ｃ１４〜１６のＡＯＳ）、ラウリルスルホコハク酸二ナトリウム、およびそれらの組み合わせから選択される、請求項１に記載の固化界面活性剤ブレンド。
【請求項２０】
（２）がアルコールエトキシレートまたはＥＯ−ＰＯブロック共重合体である、請求項１に記載の固化界面活性剤ブレンド。
【請求項２１】
請求項１〜２０のいずれか一項に記載の固化界面活性剤ブレンドを形成する方法であって、前記方法は、（１）および（２）ならびに任意選択で（５）および／または（６）を組み合わせる工程を含む、方法。
【請求項２２】
請求項３〜２０のいずれか一項に記載の固化界面活性剤ブレンドを形成する方法であって、前記方法は、
１２〜１４個の炭素原子を有するアルコール、アルキレンオキシド、および硫酸化成分を提供する工程と、
前記アルコールをアルコキシル化して、アルコキシル化アルコールおよび未反応アルコールの組み合わせを形成する工程と、
前記アルコキシル化アルコールおよび前記未反応アルコールを硫酸化して、（１）および（４）ならびに任意選択で（５）および／または（６）を形成する工程と、を含む、方法。
【請求項２３】
請求項２２に記載の固化界面活性剤ブレンドを形成する方法であって、前記方法は、前記アルキレンオキシドがエチレンオキシドであり、前記アルコキシル化する工程が、前記アルコール１モルあたり０．４〜３モルのエチレンオキシドでエトキシル化することとしてさらに定義される、方法。
【請求項２４】
請求項２２または請求項２３に記載の固化界面活性剤ブレンドを形成する方法であって、前記方法は、前記アルコールが、各々±５重量パーセントである、９０重量パーセントのＣ１２アルコールおよび１０重量パーセントのＣ１４アルコールとしてさらに定義される、方法。
【請求項２５】
請求項１〜２０のいずれか一項に記載の固化界面活性剤ブレンドを含む、固体洗浄用組成物。
【請求項２６】
前記組成物が、手動器物洗浄用組成物、洗濯用組成物、または硬面洗浄用組成物、またはそれらの組み合わせである、請求項２５に記載の固体洗浄用組成物。
【請求項２７】
前記固化界面活性剤ブレンドが前記固体洗浄用組成物の約０．１重量パーセント〜約９５重量パーセントの量で存在する、請求項２５または２６に記載の固体洗浄用組成物。
【請求項２８】
前記組成物がアルカリ性源およびビルダーをさらに含む手動器物洗浄用組成物である、請求項２５〜２７のいずれか一項に記載の固体洗浄用組成物。
【請求項２９】
前記アルカリ性源が前記固体洗浄用組成物の約３０重量パーセント〜約９０重量パーセントの量で存在する、請求項２８に記載の固体洗浄用組成物。
【請求項３０】
前記ビルダーが前記固体洗浄用組成物の約０．０１重量パーセント〜約３０重量パーセントの量である、請求項２８または２９に記載の固体洗浄用組成物。
【請求項３１】
前記組成物が前記固体洗浄用組成物の約１重量パーセント〜約５０重量パーセントの量の水をさらに含む、請求項２８〜３０のいずれか一項に記載の固体洗浄用組成物。
【請求項３２】
前記アルカリ性源が前記固体洗浄用組成物の約３０重量パーセント〜約９０重量パーセントの量で存在し、前記ビルダーが前記固体洗浄用組成物の約０．０１重量パーセント〜約３０重量パーセントの量であり、前記固化界面活性剤ブレンドが前記固体洗浄用組成物の０．０１重量パーセント〜５０重量パーセントの量であり、前記組成物が固体洗浄用組成物の約１重量パーセント〜約５０重量パーセントの量の水をさらに含む、請求項２９に記載の固体洗浄用組成物。
【請求項３３】
前記組成物がアルカリ性源およびビルダーをさらに含む洗濯用組成物である、請求項２５〜２７のいずれか一項に記載の固体洗浄用組成物。
【請求項３４】
前記アルカリ性源が前記固体洗浄用組成物の約３０重量パーセント〜約９０重量パーセントの量で存在する、請求項３３に記載の固体洗浄用組成物。
【請求項３５】
前記ビルダーが前記固体洗浄用組成物の約０重量パーセント〜約６０重量パーセントの量である、請求項３３または３４に記載の固体洗浄用組成物。
【請求項３６】
前記組成物が前記固体洗浄用組成物の約１重量パーセント〜約５０重量パーセントの量の水をさらに含む、請求項３３〜３５のいずれか一項に記載の固体洗浄用組成物。
【請求項３７】
前記アルカリ性源が前記固体洗浄用組成物の約３０重量パーセント〜約９０重量パーセントの量で存在し、前記ビルダーが前記固体洗浄用組成物の約１重量パーセント〜約５０重量パーセントの量であり、前記固化界面活性剤ブレンドが前記固体洗浄用組成物の０．０１重量パーセント〜４０重量パーセントの量であり、前記組成物が前記固体洗浄用組成物の約０重量パーセント〜約６０重量パーセントの量の水をさらに含む、請求項３３に記載の固体洗浄用組成物。
【請求項３８】
前記組成物が、アルカリ性源およびビルダーをさらに含む硬面洗浄用組成物である、請求項２５〜２７のいずれか一項に記載の固体洗浄用組成物。
【請求項３９】
前記アルカリ性源が前記固体洗浄用組成物の約３０重量パーセント〜約９０重量パーセントの量で存在する、請求項３８に記載の固体洗浄用組成物。
【請求項４０】
前記ビルダーが前記固体洗浄用組成物の約０．０１重量パーセント〜約３０重量パーセントの量である、請求項３８または３９に記載の固体洗浄用組成物。
【請求項４１】
前記組成物が前記固体洗浄用組成物の約０．０１重量パーセント〜約２０重量パーセントの量の水をさらに含む、請求項３８〜４０のいずれか一項に記載の固体洗浄用組成物。
【請求項４２】
前記アルカリ性源が前記固体洗浄用組成物の約３０重量パーセント〜約９０重量パーセントの量で存在し、前記ビルダーが前記固化界面活性剤ブレンドの約０．０１重量パーセント〜約３０重量パーセントの量であり、前記固体洗剤成分が前記固体洗浄用組成物の１重量パーセント〜２０重量パーセントの量であり、前記組成物が前記固体洗浄用組成物の約０．０１重量パーセント〜約２０重量パーセントの量の水をさらに含む、請求項３８に記載の固体洗浄用組成物。
【請求項４３】
前記アルカリ性源が、アルカリ金属水酸化物、アルカリ金属炭酸塩、金属ケイ酸塩、金属ホウ酸塩、アルカノールアミン、またはそれらの組み合わせを含む、請求項２８〜４２のいずれか一項に記載の固体洗浄用組成物。
【請求項４４】
前記アルカリ性源が、使用溶液中で約７〜約１４のｐＨを与えるのに十分な量である、請求項２８〜４３のいずれか一項に記載の固体洗浄用組成物。
【請求項４５】
前記固体洗浄用組成物が少なくとも約５．５のｐＨを与える、請求項２４〜４３のいずれか一項に記載の固体洗浄用組成物。
【請求項４６】
非イオン性界面活性剤、陽イオン性界面活性剤、陰イオン性界面活性剤、半極性非イオン性界面活性剤、両性界面活性剤、双性イオン性界面活性剤、またはそれらの組み合わせを含む補助界面活性剤をさらに含む、請求項２５〜４５のいずれか一項に記載の固体洗浄用組成物。
【請求項４７】
前記固体洗浄用組成物が、顆粒固体、ペレット化固体、鋳物固体、押出固体ブロック、またはプレス固体である、請求項２５〜４６のいずれか一項に記載の固体洗浄用組成物。
【請求項４８】
前記洗浄用組成物がプレス固体である、請求項４７に記載の固体洗浄用組成物。
【請求項４９】
以下の追加的な成分である、酸源、活性化剤、再付着防止剤、漂白剤、キレート剤、染料、付臭剤、充填剤、機能性ポリジメチルシロキサン、硬化剤、水和性塩、ポリマー、または清浄剤のうちの少なくとも１つをさらに含む、請求項２５〜４８のいずれか一項に記載の固体洗浄用組成物。
【請求項５０】
溶解した形態で請求項２５〜４９のいずれか一項に記載の洗浄用組成物と表面を接触させることを含む、表面洗浄方法。
【請求項５１】
前記洗浄用組成物がさらに希釈された形態である、請求項５０に記載の方法。
【請求項５２】
前記洗浄用組成物が溶解した形態から希釈される、請求項５０または５１に記載の方法。
【請求項５３】
前記表面が、硬表面、器物、または洗濯物を含む、請求項５０〜５２のいずれか一項に記載の方法。
【請求項５４】
前記表面を水ですすぐことをさらに含む、請求項５０〜５３のいずれか一項に記載の方法。
【請求項５５】
前記洗浄用組成物が、前記金属アルキルエーテル硫酸塩が液体であることを除いて、同じ成分を有する洗浄用組成物と実質的に同様の泡特性を提供する、請求項５０〜５４のいずれか一項に記載の方法。
【請求項５６】
洗浄用組成物を分注する方法であって、
請求項２５〜４９のいずれか一項に記載の洗浄用組成物を溶解した形態で分注することと、
表面を前記洗浄用組成物と接触させることと、を含む、方法。
【請求項５７】
前記洗浄用組成物が、粉末、薄片、顆粒、ペレット、錠剤、トローチ剤、パック、ブリケット、レンガ状塊、固体ブロック、または単位用量である、請求項５６に記載の方法。
【請求項５８】
前記洗浄用組成物が前記溶解した形態から希釈される、請求項５６または５７に記載の方法。
【請求項５９】
前記表面が、硬表面、器物、または洗濯物を含む、請求項５６〜５８のいずれか一項に記載の方法。
【請求項６０】
前記表面を水ですすぐことをさらに含む、請求項５６〜５９のいずれか一項に記載の方法。
【請求項６１】
前記洗浄用組成物が、前記金属アルキルエーテル硫酸塩が液体であることを除いて、同じ成分を有する洗浄用組成物と実質的に同様の泡特性を提供する、請求項５６〜６０のいずれか一項に記載の方法。
【発明の詳細な説明】
【技術分野】
【０００１】
相互参照
本出願は、本明細書、特許請求の範囲、および要約、同様にそれらの図、表、または実施例を限定なく含む、その全体が参照により本明細書に組み込まれる、２０１８年１月２６日に出願された仮出願米国第６２／６２２，３００号に対する米国特許法第１１９条の下での優先権を主張する。
【０００２】
本開示は、一般に、固体洗浄用組成物に関する。より具体的には、本開示は、少なくとも１つの金属アルキルエーテル硫酸塩および固体界面活性剤を含む固化界面活性剤ブレンドを含む固体洗浄用組成物に関する。
【背景技術】
【０００３】
ラウリルエーテル硫酸ナトリウムのようないくつかの金属アルキルエーテル硫酸塩界面活性剤は、液体形態でのみ利用可能である。固体洗浄用組成物を作製するために、固体形態で金属アルキルエーテル硫酸塩を提供することが望ましい。固体製品を製剤化する際の課題は、固体製剤の完全性または安定性を犠牲にすることなく、適切な量の液体材料を製剤に組み込むことである。
【発明の概要】
【発明が解決しようとする課題】
【０００４】
いくつかの金属アルキルエーテル硫酸塩界面活性剤が液体形態でのみ利用可能であるため、それらは固体製剤中に容易に組み込まれることができない。このことは、固体洗浄用組成物の製剤化を限定している。したがって、改善の機会が残っている。
【課題を解決するための手段】
【０００５】
本開示は、固体洗浄用組成物を提供する。組成物は、固化界面活性剤ブレンドを含む。固化界面活性剤ブレンドは、（１）次式を有する少なくとも１つの金属アルキルエーテル硫酸塩を含み、
【化１】
2021512212.tif 000002
ここで、第１の金属は、ナトリウム、カリウム、マグネシウム、またはカルシウムであり、ａは１または２であり、ＡＯはエチレンオキシド、プロピレンオキシド、またはそれらの組み合わせであり、ｘは０．１〜３であり、ｙは１１〜１３である。好ましい実施形態では、固化界面活性剤ブレンドは、（２）固体界面活性剤および（３）ポリエチレングリコールも含み得る。実施形態では、固化界面活性剤ブレンドは、アルカリ性源をさらに含む。少なくとも１つの金属アルキルエーテル硫酸塩および固体界面活性剤は、一般に、固化界面活性剤ブレンドの総重量に基づいて、３０：７０〜７０：３０の重量比で存在する。
【発明を実施するための形態】
【０００６】
本開示は、固体洗浄用組成物を提供する。組成物は、商業的、工業的、または家庭用の状況における任意の用途で使用され得る。組成物は、洗濯、硬面、器物洗浄などを含むがこれらに限定されない、多様な洗浄用途において使用され得る。洗浄用組成物は「固体」である。
【０００７】
本発明の実施形態は、変化でき、当業者によって理解される特定の洗浄用途に限定されない。本明細書に使用される全ての専門用語は、単に特定の実施形態を説明する目的のためであり、いかなる様式または範囲においても限定することが意図されないことをさらに理解されたい。例えば、本明細書および添付の特許請求の範囲で使用されているように、単数形「ａ」、「ａｎ」、および「ｔｈｅ」は、その内容が別段に明確に示さない限り、複数の指示対象を含み得る。さらに、全ての単位、接頭辞、および記号は、そのＳＩ認証形態で表示され得る。
【０００８】
本明細書内に記載される数値範囲は、範囲を定義する数字を含んでおり、定義される範囲内の各整数を含む。本開示全体を通じて、本発明の様々な態様が、範囲形式で示される。範囲形式における説明は単に便宜および簡潔さのためであり、本発明の範囲への堅固な限定として解釈されるべきではないことを理解されたい。したがって、範囲の説明は、その範囲内の全ての可能性のある部分範囲、分数、および個々の数値を具体的に開示しているとみなされるべきである。例えば、１〜６のような範囲の説明は、１〜３、１〜４、１〜５、２〜４、２〜６、３〜６などのような部分範囲、同様にその範囲内の個々の数字、例えば、１、２、３、４、５、および６、ならびに少数および分数、例えば、１．２、３．８、１と１／２、および４と３／４を具体的に開示しているとみなされるべきでありこのことは範囲の幅広さにかかわらず適用される。
【０００９】
ある特定の用語は、本開示がより容易に理解され得るように、最初に定義される。別段に定義されない限り、本明細書で使用される全ての技術的および科学的用語は、本発明の実施形態が関係する当業者によって一般的に理解されるのと同じ意味を有する。本明細書に記載されるものと類似するか、それらに修正されたか、またはそれらと同等である多くの方法および材料は、過度の実験を伴うことなく使用されることができ、好ましい材料および方法は、本明細書に記載される。以下の専門用語は、以下の説明および特許請求の範囲において以下に示される定義に従って使用されるであろう。
【００１０】
本明細書で使用される場合、用語「約」は、これらに限定されないが、質量、体積、および時間を含む、任意の定量化可能な変数に関して、例えば、典型的な測定技法および設備を通じて起こり得る数量の変形例を指す。さらに、実世界で使用される固体および液体の取り扱い手順を考慮すると、組成物を作製するか、または方法などを行うために使用される成分の製造、供給源、または純度の差異を通じた可能性が高い、ある特定の不注意による誤差および変形例がある。用語「約」は、特定の初期混合物から生じる組成物についての異なる平衡条件に起因して異なる量も包含する。用語「約」は、これらの変形例も包含する。「約」という用語によって修飾されるか否かにかかわらず、特許請求の範囲は、その量に対する等価物を含む。
【００１１】
用語「活性物質（ａｃｔｉｖｅ）」または「活性物質パーセント」または「活性物質重量パーセント」または「活性物質濃度」は、本明細書において互換的に使用され、水または塩のような不活性成分を引いた百分率として表される洗浄に関与するそれらの成分の濃度を指す。
【００１２】
本明細書において使用される場合、用語「アルキル」または「アルキル基」は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシルなど）、シクロアルキル基（または「シクロアルキル」もしくは「脂環式」もしくは「炭素環式」基）（例えば、シクロプロピル、シクロペンチル、シクロヘキシル、シクロヘプチル、シクロオクチルなど）、分岐鎖アルキル基（例えば、イソプロピル、ｔｅｒｔ−ブチル、ｓｅｃ−ブチル、イソブチルなど）、ならびにアルキル置換アルキル基（例えば、アルキル置換シクロアルキル基およびシクロアルキル置換アルキル基）を含む。
【００１３】
別段に特定されない限り、用語「アルキル」は、「非置換アルキル」および「置換アルキル」の両方を含む。本明細書で使用される場合、用語「置換アルキル」は、炭化水素骨格うちの１つ以上の炭素に１つ以上の水素を置き換える置換基を有するアルキル基を指す。かかる置換基は、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、リン酸塩、ホスホナート（ｐｈｏｓｐｈｏｎａｔｏ）、ホスフィナート（ｐｈｏｓｐｈｉｎａｔｏ）、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイルおよびウレイドを含む）、イミノ、スルフヒドリル、アルキルチオ、アリールチオ、チオカルボキシレート、硫酸塩、アルキルスルフィニル、スルホン酸塩、スルファモイル、スルホンアミド、ニトロ、トリフルオロメチル、シアノ、アジド、複素環式、アルキルアリール、または芳香族（複素芳香族を含む）基を含み得る。
【００１４】
いくつかの実施形態では、置換アルキルは、複素環式基を含み得る。本明細書で使用される場合、用語「複素環式基」は、環における炭素原子のうちの１つ以上が炭素以外の元素、例えば、窒素、硫黄、または酸素である炭素環式基に類似の閉環構造を含む。複素環式基は、飽和または不飽和であり得る。例示的な複素環式基は、アジリジン、エチレンオキシド（エポキシド、オキシラン）、チイラン（エピスルフィド）、ジオキシラン、アゼチジン、オキセタン、チエタン、ジオキセタン、ジチエタン、ジチエト、アゾリジン、ピロリジン、ピロリン、オキソラン、ジヒドロフラン、およびフランを含むが、これらに限定されない。
【００１５】
「再堆積防止剤」は、洗浄されている物体上に再堆積する代わりに水中に懸濁されたままにするのに役立つ化合物を指す。再堆積防止剤は、洗浄されている表面上への除去された汚れの再堆積を低下させるのを補助するために、本発明において有用である。
【００１６】
本明細書において使用される場合、用語「洗浄」は、汚れ除去、漂白、微生物集団低下、およびそれらの任意の組み合わせを促進するか、または助けるために使用される方法を指す。本明細書において使用される場合、用語「微生物」は、任意の非細胞または単細胞（群体を含む）生物を指す。微生物は、全ての原核生物を含む。微生物は、細菌（シアノバクテリアを含む）、胞子、地衣類、菌類、原生動物、ビリノス（ｖｉｒｉｎｏｓ）、ウイロイド、ウイルス、ファージ、およびいくつかの藻類を含む。本明細書において使用される場合、用語「微生物（ｍｉｃｒｏｂｅ）」は、微生物（ｍｉｃｒｏｏｒｇａｎｉｓｍ）と同義である。
【００１７】
本発明の方法および組成物は、本明細書に記載される他の成分と同様に、本発明の構成成分および成分を含むか、これらから本質的になるか、またはこれらからなることができる。本明細書で使用される場合、「から本質的になる」とは、方法、および組成物が、追加的な工程、構成成分または成分が、特許請求される方法および組成物の基本的かつ新規の特徴を著しく変更しない場合にのみ、追加的な工程、構成成分または成分を含み得ることを意味する。
【００１８】
用語「洗濯」は、洗濯洗浄機械で洗浄される品目または物品を指す。一般に、洗濯は、織物材料、織布、不織布、およびニット織物から作製された、またはそれらを含む、任意の品目または物品を指す。織物材料は、シルク繊維、リネン繊維、綿繊維、ポリエステル繊維、ナイロンのようなポリアミド繊維、アクリル繊維、アセテート繊維、ならびに綿およびポリエステルブレンドを含むこれらのブレンドのような、天然または合成繊維を含み得る。繊維は、処理済または未処理であり得る。例示的な処理済繊維は、難燃性について処理をされたものを含む。用語「リネン」は、多くの場合、ベッドシーツ、ピローケース、タオル、テーブルリネン、テーブルクロス、バーモップ、および制服を含むある特定の型の洗濯品目を説明するために使用されることを理解されたい。本発明は、非洗濯物品ならびに皿、ガラス、および他の器物のような硬面を含む表面を処理するための組成物および方法を追加的に提供する。
【００１９】
本明細書において使用される場合、用語「ポリマー」は、一般に、ホモポリマー、例えば、ブロック、グラフト、ランダムおよび交互共重合体のような共重合体、ターポリマー、ならびにより高次の「ｘ」量体、それらの誘導体、組み合わせならびにブレンドをさらに含むが、これらに限定されない。さらに、別段に具体的に限定されない限り、用語「ポリマー」は、アイソタクチック、シンジオタクチックおよびランダム配置、ならびにそれらの組み合わせを含むがこれらに限定されない、モノマーの全ての可能な異性体配置を含むものとする。さらに、別段に具体的に限定されない限り、用語「ポリマー」は、分子の全ての可能な幾何学配置を含むものとする。
【００２０】
本明細書で使用される場合、用語「固体」は、固体状態の組成物または材料を指す。固体は、粉末、小粒（ｐｒｉｌｌ）、ビーズまたは薄片を含み得る。粉末は、より大きな固体組成物を粉砕すること、ペーストを乾燥させること、または本明細書に記載されるものを含む、固体粉末を調製する他の方法によって調製され得る。好ましくは、粉末は、流動性である必要がある。好ましくは、固体粉末は、ブルックフィールド（Ｂｒｏｏｋｆｉｅｌｄ）粉末流動テスターを使用して決定されるような非凝集性粉末流動特性を有する。好ましい実施形態では、固体粉末は、約０．４未満、より好ましくは約０．３５未満、最も好ましくは約０．１５〜約０．３５の流れ関数（ｆｆ）を有する。
【００２１】
本明細書で使用される場合、用語「器物」は、食事および調理道具、食器、ならびにシャワー、シンク、トイレ、浴槽、天板、窓、鏡、運搬用車両、および床のような他の硬面のような品目を指す。本明細書で使用される場合、用語「器物洗浄」は、器物を洗浄すること（ｗａｓｈｉｎｇ）、洗浄すること（ｃｌｅａｎｉｎｇ）、またはすすぐことを指す。器物は、プラスチック製の品目も指す。本発明に従う組成物で洗浄され得るプラスチックの型は、ポリプロピレンポリマー（ＰＰ）、ポリカーボネートポリマー（ＰＣ）、メラミンホルムアルデヒド樹脂またはメラミン樹脂（メラミン）、アクリロニトリル−ブタジエン−スチレンポリマー（ＡＢＳ）、およびポリスルホンポリマーを含むものを含むが、これらに限定されない。化合物および組成物を使用して洗浄され得る他の例示的なプラスチックは、ポリエチレンテレフタレート（ＰＥＴ）、ポリスチレンポリアミドを含む。
【００２２】
本明細書で使用される場合、用語「水溶性」および「水混和性」は、構成成分（例えば、固体界面活性剤または金属アルキルエーテル硫酸塩）が、約２０℃で約５０ｇ／Ｌ超、好ましくは約５５ｇ／Ｌ以上、より好ましくは６０ｇ／Ｌ以上、最も好ましくは約１００ｇ／Ｌ以上の濃度で水中に溶解または分散可能であることを意味する。
【００２３】
用語「重量パーセント（ｗｅｉｇｈｔ  ｐｅｒｃｅｎｔ）」、「重量％（ｗｔ−％）」、「重量パーセント（ｐｅｒｃｅｎｔ  ｂｙ  ｗｅｉｇｈｔ）」、「重量％（％  ｂｙ  ｗｅｉｇｈｔ）」およびそれらの変形例は、本明細書で使用される場合、組成物の総重量で除され１００を乗じられたその物質の重量としての物質の濃度を指す。本明細書で使用される場合、「パーセント」、「％」などは、「重量パーセント」、「重量％」などと同義であることが意図されることが、理解される。
【００２４】
方法、システム、装置、および組成物は、本明細書に記載される他の構成成分および成分と同様に、列挙される成分を含むか、それらから本質的になるか、またはそれらからなることができる。本明細書で使用される場合、「から本質的になる」とは、方法、システム、装置および組成物が、追加的な工程、構成成分または成分が、特許請求される方法、システム、装置、および組成物の基本的かつ新規の特徴を著しく変更しない場合にのみ、追加的な工程、構成成分または成分を含み得ることを意味する。
【００２５】
固化界面活性剤ブレンド：
組成物は、固化界面活性剤ブレンドを含む。固化界面活性剤ブレンドは、組成物の最大１００重量パーセントを含む任意の量で存在し得る。様々な実施形態では、固化界面活性剤ブレンドは、組成物の総重量に基づいて１〜９０重量パーセント、例えば、±５重量％の量で存在する。
【００２６】
様々な実施形態では、固化界面活性剤ブレンドは、洗浄用組成物の総重量に基づいて、５〜９５、１〜７５、１０〜８５、１５〜８０、２０〜７５、２５〜７０、３０〜６５、３５〜６０、４０〜５５、４５〜５０重量パーセントで存在する。他の実施形態では、固化界面活性剤ブレンドは、組成物の総重量に基づいて、１、２、３、４、または５重量パーセントの量で存在する。
【００２７】
固化界面活性剤ブレンドは、（１）少なくとも１つの金属アルキルエーテル硫酸塩および（２）固体界面活性剤を含む。好ましい実施形態では、固化界面活性剤ブレンドは、（１）少なくとも１つの金属アルキルエーテル硫酸塩、（２）固体界面活性剤、および（３）ポリエチレングリコールを含む。様々な実施形態では、固化界面活性剤ブレンドは、２つ以上の（１）金属アルキルエーテル硫酸塩および／または２つ以上の（２）固体界面活性剤を含み得る。様々な実施形態では、固化界面活性剤ブレンドは、（１）および（２）、または（１）、（２）、および（３）であるか、それらから本質的になるか、またはそれらからなる。（１）と（２）との組み合わせは、結晶性マトリックス（すなわち（２））に配置されたアモルファス構成成分（すなわち（１））として代替的に説明され得る。様々な実施形態では、組成物は、アルキルポリグルコシド（ＡＰＧ）を含まない。別の実施形態では、組成物は、液体または固体洗浄用組成物で使用されるもののような、当該技術分野で既知の任意のアミドであり得る、アミドを含まない。
【００２８】
典型的には、（１）および（２）は、固化界面活性剤ブレンドの総重量に基づいて、２０：８０〜７０：３０の重量比で存在する。様々な実施形態では、（１）は、重量比の第１の値が２０〜７０、２５〜６５、３０〜６０、３５〜５５、４０〜５０、または４５〜５５であるように存在する。他の実施形態では、（２）は、重量比の第２の値が３０〜８０、２５〜７５、４０〜７０、４５〜６５、５０〜６０、または５５〜６０であるように存在する。さらなる実施形態では、重量比は、５０：５０または３０：７０±１、２、３、４、５、６、７、８、９、または１０である。様々な非限定的な実施形態では、上記のものを含むおよび上記の間の全ての値および値の範囲は、本明細書での使用のために本明細書によって明確に企図される。
【００２９】
金属アルキルエーテル硫酸塩：
（１）少なくとも１つの金属アルキルエーテル硫酸塩は、次式を有し、
【化２】
2021512212.tif 000003
式中、第１の金属は、ナトリウム、カリウム、マグネシウム、またはカルシウムであり、ａは１または２であり、ＡＯはエチレンオキシド、プロピレンオキシド、またはそれらの組み合わせであり、ｘは０．１〜３であり、ｙは１１〜１３である。様々な実施形態では、第１の金属は、ナトリウムである。他の実施形態では、第１の金属は、マグネシウムである。さらなる実施形態では、第１の金属は、カリウムまたはカルシウムである。第１の金属がナトリウムまたはマグネシウムである場合、ａは１である。第１の金属がカリウムまたはカルシウムである場合、ａは２である。一実施形態では、ＡＯは、エチレンオキシドである。別の実施形態では、ＡＯは、プロピレンオキシドである。さらなる実施形態では、ＡＯは、エチレンオキシドとプロピレンオキシドとの組み合わせである。ＡＯ（および固化界面活性剤ブレンドおよび／または全体としての組成物）は、プロピレンオキシド、ブチレンオキシド、および／もしくはエチレンオキシドではない任意の他の酸化物を含まず、および／またはそれらの反応生成物を含まないことができることも、企図される。さらなる実施形態では、ｘは、アルコキシル化の程度を表し、０．１〜１、０．２〜０．９、０．３〜０．８、０．４〜０．７、０．５〜０．６、１〜３、１〜２、２〜３、１．５〜２．５、２〜２．５、または１．５〜３である。他の実施形態では、ｙは、構成成分の炭素鎖の長さを表し、１１、１２、または１３であり得る。（ＣＨ２）部分は、直鎖状または分岐状であり得る。様々な非限定的な実施形態では、上記のものを含むおよび上記の間の全ての値および値の範囲は、本明細書での使用のために本明細書によって明確に企図される。
【００３０】
固体界面活性剤：
固体界面活性剤は、当該技術分野で既知の任意のものであり得、結晶性または非結晶性であり得、陰イオン性、非イオン性、陽イオン性などであり得る。例えば、固体界面活性剤は、Ｎａ  ＬＡＳ（直鎖アルキルベンゼンスルホン酸ナトリウム）、ラウリルスルホ酢酸ナトリウム、アルファオレフィンスルホン酸ナトリウム（Ｃ１４〜１６のＡＯＳ）、ラウリルスルホコハク酸二ナトリウム、キシレンスルホン酸ナトリウム、クメンスルホン酸ナトリウム、およびそれらの組み合わせから選択され得る。他の実施形態では、固体界面活性剤は、アルコールエトキシレート、ＥＯ−ＰＯブロック共重合体、アミド（ラウリルジエタノールアミド、コカミドＤＥＡ、ココアミドＭＥＡ、コカミドモノイソプロパノールアミンＰＥＧ  ６ラウラミド、およびそれらの組み合わせから選択される。前述の固体界面活性剤の全ての組み合わせはまた、様々な非限定的な実施形態において明確に企図される。
【００３１】
ポリエチレングリコール
好ましい実施形態では、固化界面活性剤ブレンドは、ポリエチレングリコール（ＰＥＧ）、ポリエチレングリコール誘導体、またはそれらの組み合わせを含み得る。好ましくは、ＰＥＧまたはＰＥＧ誘導体は、約１０００〜１０，０００、より好ましくは約１４００〜約１０，０００ｇ／ｍｏｌの重量平均分子量を有し、好ましいＰＥＧは、ＰＥＧ  １４５０、ＰＥＧ  ３３５０、ＰＥＧ  ４０００、ＰＥＧ  ４６００、およびＰＥＧ  ８０００を含む。好ましくは、ＰＥＧは、固化界面活性剤ブレンドの約１重量％〜約２０重量％、より好ましくは約５重量％〜約１５重量％の量である。
【００３２】
金属アルキル硫酸塩：
固体界面活性剤は、少なくとも１つの（４）金属アルキル硫酸塩としてさらに定義され得る。（４）少なくとも１つの金属アルキル硫酸塩は、典型的には、次式を有し、
【化３】
2021512212.tif 000004
式中、第２の金属は、ナトリウム、カリウム、マグネシウム、またはカルシウムであり、ｂは１または２であり、ｚは１１〜１３である。様々な実施形態では、第２の金属は、ナトリウムである。他の実施形態では、第２の金属は、マグネシウムである。さらなる実施形態では、第２の金属は、カリウムまたはカルシウムである。第２の金属がナトリウムまたはマグネシウムである場合、ｂは１である。第２の金属がカリウムまたはカルシウムである場合、ｂは２である。さらなる実施形態では、ｚは、構成成分の炭素鎖の長さを表し、１１、１２、または１３であり得る。（ＣＨ２）部分は、直鎖状または分岐状であり得る。様々な非限定的な実施形態では、上記のものを含むおよび上記の間の全ての値および値の範囲は、本明細書での使用のために本明細書によって明確に企図される。
【００３３】
追加的な界面活性剤：
上で最初に紹介されたように、固化界面活性剤ブレンドは、（５）第２の金属アルキルエーテル硫酸塩構成成分および／または（６）第２の金属アルキル硫酸塩をさらに含むか、本質的にそれらからなるか、またはそれからなることができる。これらの（５）／（６）第２の金属アルキル（エーテル）硫酸塩は、様々な実施形態において、上の（１）、（２）、および（３）に加えて含まれ得る。
【００３４】
（５）第２の金属アルキルエーテル硫酸塩は、典型的には、次式を有し、
【化４】
2021512212.tif 000005
式中、第３の金属はナトリウム、カリウム、マグネシウム、またはカルシウムであり、ｃは１または２であり、ＡＯはエチレンオキシド、プロピレンオキシド、またはそれらの組み合わせであり、ｍは０．１〜３であり、ｎは１１〜１３である。様々な実施形態では、第３の金属は、ナトリウムである。他の実施形態では、第３の金属は、マグネシウムである。さらなる実施形態では、第３の金属は、カリウムまたはカルシウムである。第３の金属がナトリウムまたはマグネシウムである場合、ｃは１である。第３の金属がカリウムまたはカルシウムである場合、ｃは２である。一実施形態では、ＡＯは、エチレンオキシドである。別の実施形態では、ＡＯは、プロピレンオキシドである。さらなる実施形態では、ＡＯは、エチレンオキシドとプロピレンオキシドとの組み合わせである。ＡＯ（および固化界面活性剤ブレンドおよび／または全体としての組成物）は、プロピレンオキシド、ブチレンオキシド、および／もしくはエチレンオキシドではない任意の他の酸化物を含まず、および／またはそれらの反応生成物を含まないことができることも、企図される。さらなる実施形態では、ｍは、アルコキシル化の程度を表し、０．１〜１、０．２〜０．９、０．３〜０．８、０．４〜０．７、０．５〜０．６、１〜３、１〜２、２〜３、１．５〜２．５、２〜２．５、または１．５〜３である。他の実施形態では、ｎは、構成成分の炭素鎖の長さを表し、１１、１２、または１３であり得る。（ＣＨ２）部分は、直鎖状または分岐状であり得る。様々な非限定的な実施形態では、上記のものを含むおよび上記の間の全ての値および値の範囲は、本明細書での使用のために本明細書によって明確に企図される。
【００３５】
さらなる実施形態では、（６）第２の金属アルキル硫酸塩は、典型的には、次式を有し、
【化５】
2021512212.tif 000006
式中、第４の金属は、ナトリウム、カリウム、マグネシウム、またはカルシウムであり、ｄは１または２であり、ｔは１１〜１３である。様々な実施形態では、第４の金属は、ナトリウムである。他の実施形態では、第４の金属は、マグネシウムである。さらなる実施形態では、第４の金属は、カリウムまたはカルシウムである。第４の金属がナトリウムまたはマグネシウムである場合、ｄは１である。第４の金属がカリウムまたはカルシウムである場合、ｄは２である。さらなる実施形態では、ｔは、構成成分の炭素鎖の長さを表し、１１、１２、または１３であり得る。（ＣＨ２）部分は、直鎖状または分岐状であり得る。様々な非限定的な実施形態では、上記のものを含むおよび上記の間の全ての値および値の範囲は、本明細書での使用のために本明細書によって明確に企図される。
【００３６】
様々な実施形態では、固化界面活性剤ブレンドの８５〜１００重量パーセントは、ｙおよびｚの各々が１１である、（１）金属アルキルエーテル硫酸塩と（４）金属アルキル硫酸塩のような（２）固体界面活性剤との組み合わせである。さらに、固化界面活性剤ブレンドの５〜１５重量パーセントは、ｎおよびｔの各々が１３である、（４）第２の金属アルキルエーテル硫酸塩と（５）第２の金属アルキル硫酸塩との組み合わせであり得る。他の実施形態では、固化界面活性剤ブレンドの９０±１重量パーセントは、ｙおよびｚの各々が１１である、（１）金属アルキルエーテル硫酸塩と（２）（または（５））との組み合わせである。加えて、固化界面活性剤ブレンドの１０±１重量パーセントは、ｎおよびｔの各々が１３である、（４）第２の金属アルキルエーテル硫酸塩と（５）第２の金属アルキル硫酸塩との組み合わせであり得る。さらに他の実施形態では、固化界面活性剤ブレンドの７０〜１００重量パーセントは、ｙおよびｚの各々が１１である、（１）金属アルキルエーテル硫酸塩と（４）金属アルキル硫酸塩との組み合わせである。さらに、固化界面活性剤ブレンドの２５〜３５重量パーセントは、ｎおよびｔの各々が１３である、（５）第２の金属アルキルエーテル硫酸塩と（６）第２の金属アルキル硫酸塩との組み合わせであり得る。他の実施形態では、固化界面活性剤ブレンドの７０±１重量パーセントは、ｙおよびｚの各々が１１である、（１）金属アルキルエーテル硫酸塩と（４）金属アルキル硫酸塩との組み合わせである。さらに、固化界面活性剤ブレンドの３０±１重量パーセントは、ｎおよびｔの各々が１３である、（５）第２の金属アルキルエーテル硫酸塩と（６）第２の金属アルキル硫酸塩との組み合わせであり得る。様々な非限定的な実施形態では、上記のものを含むおよび上記の間の全ての値および値の範囲は、本明細書での使用のために本明細書によって明確に企図される。
【００３７】
さらに他の実施形態では、固体洗浄用組成物は、ｙが１０以下であり、および／もしくはｙが１４以上である、５、４、３、２、１、０．５、もしくは０．１重量パーセント未満の金属アルキルエーテル硫酸塩のうちの１つ以上を含むか、または含まず、ｚが１０以下であり、および／もしくはｚが１４以上である、５、４、３、２、１、０．５、もしくは０．１重量パーセント未満の金属アルキル硫酸塩のうちの１つ以上を含むか、または含まず、ｎが１０以下であり、および／もしくはｎが１４以上である、５、４、３、２、１、０．５、もしくは０．１重量パーセント未満の第２の金属アルキルエーテル硫酸塩のうちの１つ以上を含むか、または含まず、ならびに／あるいはｔが１０以下であり、および／もしくはｔが１４以上である、５、４、３、２、１、０．５、もしくは０．１重量パーセント未満の第２の金属アルキル硫酸塩のうちの１つ以上を含むか、または含まず、あるいはそれらの組み合わせを含むか、または含まない。代替的には、固体洗浄用組成物は、ＡＯがプロピレンオキシドである、５、４、３、２、１、０．５、もしくは０．１重量パーセント未満の金属アルキルエーテル硫酸塩のうちの１つ以上を含むか、または含まず、および／あるいはＡＯがプロピレンオキシドである、５、４、３、２、１、０．５、もしくは０．１重量パーセント未満の第２の金属アルキルエーテル硫酸塩のうちの１つ以上を含むか、または含まず、あるいは５、４、３、２、１、０．５、もしくは０．１重量パーセント未満の上記の固体界面活性剤のうちの１つ以上を含むか、または含まず、あるいはそれらの組み合わせを含むか、または含まない。様々な非限定的な実施形態では、上記のものを含むおよび上記の間の全ての値および値の範囲は、本明細書での使用のために本明細書によって明確に企図される。
【００３８】
追加的な実施形態では、（（１）および任意選択で（５））ならびに（（４）および任意選択で（６））は、（１＋４）：（３＋５）の７０：３０〜５０：５０の重量比で存在するか、または上の前述の重量比のうちのいずれか１つ以上で存在する。他の実施形態では、（（１）および任意選択で（５））および（（４）および任意選択で（６））は、それぞれ、（１＋４）：（３＋５）の７０：３０±５の重量比で存在するか、または上の前述の重量比のうちのいずれか１つ以上で存在する。
【００３９】
固化界面活性剤ブレンドについてのアルカリ性源
固化界面活性剤ブレンドは、１つ以上のアルカリ性源を含み得る。アルカリ性源は、特に高温で、固化界面活性剤ブレンドに安定性を提供できることが、見出されている。
【００４０】
アルカリ性源の例は、例えば、アルカリ金属炭酸塩および炭酸水素塩のような炭酸塩を含む炭酸塩系アルカリ性源、例えば、アルカリ金属水酸化物を含む苛性系アルカリ性源を含むが、これらに限定されず、他の好適なアルカリ性源は、金属ケイ酸塩、金属ホウ酸塩、および有機アルカリ性源を含み得る。使用され得る例示的なアルカリ金属炭酸塩は、炭酸ナトリウム、炭酸カリウム、炭酸水素塩、セスキ炭酸塩、およびそれらの混合物を含むが、これらに限定されない。使用され得る例示的なアルカリ金属水酸化物は、水酸化ナトリウム、水酸化リチウム、または水酸化カリウムを含むが、これらに限定されない。使用され得る例示的な金属ケイ酸塩は、ケイ酸ナトリウムもしくはケイ酸カリウムまたはメタケイ酸ナトリウムもしくはメタケイ酸カリウムを含むが、これらに限定されない。例示的な金属ホウ酸塩は、ホウ酸ナトリウムまたはホウ酸カリウムを含むが、これらに限定されない。
【００４１】
有機アルカリ性源は、多くの場合、例えば、アンモニア（水酸化アンモニウム）、アミン、アルカノールアミン、およびアミノアルコールを含む強窒素塩基である。アミンの典型的な例は、少なくとも１つの窒素結合炭化水素基を担持する第一級、第二級、または第三級アミンおよびジアミンを含み、それは、少なくとも１０個の炭素原子、好ましくは１６〜２４個の炭素原子を有する飽和もしくは不飽和の直鎖状もしくは分岐状アルキル基、または最大２４個の炭素原子を含有するアリール、アラルキル、もしくはアルカリール基を表し、任意選択の他の窒素結合基は、任意選択で置換されたアルキル基、アリール基、またはアラルキル基またはポリアルコキシ基によって形成される。アルカノールアミンの典型的な例は、モノエタノールアミン、モノプロパノールアミン、ジエタノールアミン、ジプロパノールアミン、トリエタノールアミン、トリプロパノールアミンなどを含む。アミノアルコールの典型的な例は、２−アミノ−２−メチル−１−プロパノール、２−アミノ−１−ブタノール、２−アミノ−２−メチル−１，３−プロパンジオール、２−アミノ−２−エチル−１，３−プロパンジオール、ヒドロキシメチルアミノメタンなどを含む。
【００４２】
固化界面活性剤ブレンドにアルカリ性源を含める際に、アルカリ性源は、好ましくは、固化界面活性剤ブレンドの約０．１重量％〜１５重量％、より好ましくは約１重量％〜約１２重量％、最も好ましくは約５重量％〜約１０重量％の量で添加され得る。
【００４３】
固体洗浄用組成物
固化界面活性剤ブレンドは、固体洗浄用組成物に含まれ得る。それらの洗浄用組成物は、例えば、手動器物洗浄用組成物、洗濯組成物、および硬面洗浄用組成物を含む洗剤組成物を含み得るが、これらに限定されない。それらの組成物の例示的な実施形態は、以下の表１〜３に提供される。表１〜３の各々では、界面活性剤構成成分は、固化界面活性剤ブレンドを含む。いくつかの実施形態では、洗浄用組成物に添加される唯一の界面活性剤は、固化界面活性剤ブレンドである。いくつかの実施形態では、界面活性剤は、固化界面活性剤ブレンドと共界面活性剤（ｃｏ−ｓｕｒｆａｃｔａｎｔ）との組み合わせである。表１〜３において表される組成物は例示的であり、限定的ではなく、例えば、他の洗浄用組成物は、本明細書に開示される固化界面活性剤ブレンドで調製され得、以下で示される洗浄用組成物は好ましい製剤の例として提供される。
【表１】
2021512212.tif 000007
【表２】
2021512212.tif 000008
【表３】
2021512212.tif 000009
【００４４】
添加剤成分
固化界面活性剤ブレンドに加えて、組成物はまた、添加剤成分を含み得る。添加剤成分は、組成物に所望の特性および機能性を提供するために添加され得る。添加剤成分のいくつかの特定の例は以下でより詳細に論じられるが、論じられる特定の材料は単に例の手段によって与えられ、多種多様な他の添加剤成分は使用され得る。かかる添加剤成分の例は、組成物の所望の特徴および／または機能性に依存して、キレート剤／金属イオン封鎖剤、漂白剤もしくは活性化剤、清浄剤／抗微生物剤、活性化剤、ビルダーもしくは充填剤、再堆積防止剤、光学的光沢剤、染料、付臭剤もしくは香料、防腐剤、安定剤、加工助剤、防蝕剤、充填剤、固化剤、硬化剤、溶解度調整剤、ｐＨ調節剤、保湿剤、ヒドロトロープ、移染防止剤、泡抑制剤、錯化剤、酵素、灰色化防止剤、無機伸長剤（ｉｎｏｒｇａｎｉｃ  ｅｘｔｅｎｄｅｒ）、配合助剤（ｆｏｒｍｕｌａｔｉｏｎ  ａｕｘｉｌｉａｒｙ）、溶解度向上剤、乳白剤、電解質、石鹸、洗剤、汚れ放出ポリマー、溶剤、塩、水、または多種多様な他の添加剤成分を含む。本明細書に開示されるいくつかの実施形態の文脈では、添加剤成分は、任意選択で、それらの機能性特性のために固体洗浄用組成物内に含まれる。添加剤成分のいくつかのより特定の例は以下でさらに詳細に議論されるが、議論される特定の材料は単に例の手段によって与えられ、多種多様な他の添加剤成分は使用され得ることが、当業者および他者によって理解されるべきである。
【００４５】
以下で説明される追加的な成分のうちのいくつかは、固化界面活性剤ブレンドで構成される固体洗浄用組成物に含まれ得る。洗浄用組成物中に組み込まれ得る好ましい追加的な成分は、共界面活性剤、染料、芳香剤（付臭剤）ココモノエタノールアミド、ラウリル／ミリスチルグルコシド（および）硫酸ナトリウム（および）ケイ酸ナトリウム（および）ココ硫酸ナトリウムの組み合わせ、ＭｇＳＯ４、酢酸ナトリウム、コカミドプロピルアミンオキシド、コカミドプロピルベタイン、ラウリルイミノジプロピオネート一ナトリウム塩、ラウリルジメチルアミンオキシド、アルコールエトキシル化ＭＡ／ＤＩＢ／ハーフエステル、ならびにそれらの組み合わせを含むが、これらに限定されない。
【００４６】
添加剤成分は、固化界面活性剤ブレンドと共に任意の量で存在し得る。様々な実施形態では、添加剤成分は、１０〜９９重量パーセント、例えば、±５重量％の量で存在する。様々な実施形態では、添加剤成分は、１０〜９５、１５〜９０、２０〜８５、２５〜８０、３０〜７５、３５〜７０、４０〜６５、４５〜６０、または５０〜５５重量パーセントの量で存在する。様々な非限定的な実施形態では、上記のものを含むおよび上記の間の全ての値および値の範囲は、本明細書での使用のために本明細書によって明確に企図される。
【００４７】
酸源
いくつかの実施形態では、洗浄用組成物は、酸源を含み得る。好適な酸源は、有機および／または無機酸を含み得る。好適な有機酸の例は、なかでも、これらに限定されないが、ヒドロキシ酢酸（グリコール酸）、クエン酸、ギ酸、酢酸、プロピオン酸、酪酸、吉草酸、カプロン酸、トリクロロ酢酸、尿素塩酸塩、および安息香酸のようなカルボン酸を含む。なかでも、シュウ酸、マロン酸、グルコン酸、イタコン酸、コハク酸、グルタル酸、マレイン酸、フマル酸、アジピン酸、およびテレフタル酸のような有機ジカルボン酸はまた、本発明に従って有用である。これらの有機酸の任意の組み合わせはまた、組成物の適切な形成を可能にする他の有機酸と混合されてまたはそれらと共に使用され得る。
【００４８】
本発明に従って有用な無機酸は、なかでも、硫酸、スルファミン酸、メチルスルファミン酸、塩酸、臭化水素酸、および硝酸を含む。これらの酸はまた、他の無機酸または上述のこれらの有機酸と組み合わされて使用され得る。好ましい実施形態では、酸は、無機酸である。
【００４９】
いくつかの実施形態では、洗浄用組成物は、少なくとも約、好ましくは少なくとも約５．５、より好ましくは少なくとも約６、最も好ましくは少なくとも約６．５のｐＨを提供する。いくつかの実施形態では、組成物は、約６〜約１４、より好ましくは約６．５〜約１３、さらにより好ましくは約６．５〜約１２、最も好ましくは約７〜約１１．５のｐＨを提供する。いくつかの実施形態では、酸源は、所望のｐＨを達成するために、組成物にｐＨ調整剤または中和剤として含まれ得る。
【００５０】
活性化剤
組成物は、０．１〜１５重量％の量で存在する漂白活性化剤も含み得る。漂白活性化剤は、ポリアシル化糖、例えば、ペンタアセチルグルコース、アシルオキシベンゼンスルホン酸およびそれらのアルカリ金属およびアルカリ土類金属塩、例えば、ｐ−イソノナノイルオキシベンゼンスルホン酸ナトリウムおよびｐ−ベンゾイルオキシベンゼンスルホン酸ナトリウム、Ｎ，Ｎ−ジアセチル化およびＮ，Ｎ，Ｎ’，Ｎ’−テトラアシル化アミン、例えば、Ｎ，Ｎ，Ｎ’，Ｎ’−テトラアセチルメチレンジアミンおよび−エチレンジアミン（ＴＡＥＤ）、Ｎ，Ｎジアセチルアニリン、Ｎ，Ｎ−ジアセチル−ｐ−トルイジンまたは１，３−ジアセチル−５，５−ジメチルヒダントインのような１，３−ジアシル化ヒダントイン、Ｎ−アルキル−Ｎ−スルホニルカルボキサミド、例えば、Ｎ−メチル−Ｎ−メシルアセトアミドおよびＮ−メチル−Ｎ−メシルベンズアミド、Ｎ−アシル化環状ヒドラジド、アシル化トリアゾールおよびウラゾール、例えば、モノアセチルマレイン酸ヒドラジド、Ｏ，Ｎ，Ｎ−三置換ヒドロキシルアミン、例えば、Ｏ−ベンゾイル−Ｎ，Ｎ−スクシニルヒドロキシルアミン、Ｏ−アセチル−Ｎ，Ｎ−スクシニルヒドロキシルアミンおよびＯ，Ｎ，Ｎ−トリアセチルヒドロキシルアミン、Ｎ，Ｎ’−ジアシルスルフリルアミド、例えば、Ｎ，Ｎ’−ジメチル−Ｎ，Ｎ’−ジアセチルスルフリルアミドおよびＮ，Ｎ’−ジエチル−Ｎ，Ｎ’−ジプロピオニルスルフリルアミド、トリアシルシアヌレート、例えば、トリアセチルシアヌレートおよびトリベンゾイルシアヌレート、無水カルボン酸、例えば、安息香酸無水物、ｍ−クロロ安息香酸無水物および無水フタル酸、１，３−ジアシル−４，５−ジアシルオキシイミダゾリン、例えば、１，３−ジアセチル−４，５−ジアセトキシイミダゾリン、テトラアセチルグリコールウリル、テトラプロピオニルグリコールウリル、ジアシル化２，５−ジケトピペラジン、例えば、１，４−ジアセチル−２，５−ジケトピペラジン、プロピレンジウレアおよび２，２−ジメチルプロピレンジウレアのアシル化生成物、例えば、テトラアセチルプロピレンジウレア、ａ−アシルオキシポリアシルマロンアミド、例えば、ａ−アセトキシ−Ｎ，Ｎ’−ジアセチルマロンアミド、ジアシルジオキソヘキサヒドロ−１，３，５−トリアジン、例えば、１，５−ジアセチル−２，４−ジオキソヘキサヒドロ−１，３，５−トリアジン、アルキルラジカル、例えば、メチルラジカルまたは芳香族ラジカルを有するベンズ（４Ｈ）−１，３−オキサジン−４−オン、ならびにそれらの組み合わせを含み得るが、これらに限定されない。
【００５１】
漂白剤はまた、漂白触媒と組み合わされ得る。漂白触媒は、四級化イミン、スルホンイミン（ｓｕｌｆｏｎｉｍｉｎｅ）、マンガン錯体、およびそれらの組み合わせを含み得るが、これらに限定されない。漂白触媒は、１．５重量％までの量で組成物に含まれ得る。
【００５２】
いくつかの実施形態では、洗浄用組成物は、組成物が使用において定置される際に、活性酸素と反応して活性化構成成分を形成する材料の添加によって、改善された抗微生物活性または漂白活性を有することができる。例えば、いくつかの実施形態では、過酸または過酸塩が形成される。例えば、いくつかの実施形態では、テトラアセチルエチレンジアミンは、活性酸素と反応して、抗微生物剤として作用する過酸または過酸塩を形成するために、組成物に含まれ得る。活性酸素活性化剤の他の例は、遷移金属およびそれらの化合物、カルボキシル部分、ニトリル部分、もしくはエステル部分を含有する化合物、または当該技術分野で既知の他のかかる化合物を含む。実施形態では、活性化剤は、テトラアセチルエチレンジアミン、遷移金属、カルボキシル部分、ニトリル部分、アミン部分、もしくはエステル部分を含む化合物、またはそれらの混合物を含む。
【００５３】
いくつかの実施形態では、活性化剤構成成分は、最大約７５重量％の範囲の洗浄用組成物、いくつかの実施形態では、約０．０１〜約２０重量％の範囲、またはいくつかの実施形態では、約０．０５〜１０重量％の範囲の洗浄用組成物を含み得る。いくつかの実施形態では、活性酸素化合物についての活性化剤は、活性酸素と組み合わさって抗微生物剤を形成する。
【００５４】
活性化剤は、１つの固体洗浄用組成物を別の固体洗浄用組成物に連結するための多様な方法のうちのいずれかによって、固体洗浄用組成物に連結され得る。例えば、活性化剤は、固体洗浄用組成物に結合、固着、糊付け、または他の方法で接着される、固体の形態であり得る。代替的には、固体活性化剤は、固体洗浄用組成物の周りに形成され得、固体洗浄用組成物を包含できる。さらなる例として、固体活性化剤は、プラスチックまたは収縮ラップもしくはフィルムによるような、組成物用の容器または包装によって、固体洗浄用組成物に連結され得る。
【００５５】
洗浄剤組成物についてのアルカリ性源
洗浄用組成物は、有効量の１つ以上のアルカリ性源を含み得る。有効量の１つ以上のアルカリ性源は、約７〜約１４のｐＨを有する組成物を提供する量とみなされるべきである。特定の実施形態では、洗浄用組成物は、約７．５〜約１３．５のｐＨを有することができる。洗浄サイクルの間、使用溶液は、約６〜約１４のｐＨを有することができる。特定の実施形態では、使用溶液は、約６〜１４のｐＨを有することができる。洗浄用組成物が酵素組成物を含む場合、ｐＨは、酵素組成物の有効性に対して最適なｐＨ範囲を提供するように調整され得る。酵素組成物を洗浄用組成物に組み込む特定の実施形態では、最適なｐＨは、約１０〜約１１である。
【００５６】
洗浄用組成物の好適なアルカリ性源の例は、例えば、アルカリ金属炭酸塩のような炭酸塩を含む炭酸塩系アルカリ性源、例えば、アルカリ金属水酸化物を含む苛性系アルカリ性源を含むが、これらに限定されず、他の好適なアルカリ性源は、金属ケイ酸塩、金属ホウ酸塩、および有機アルカリ性源を含み得る。使用され得る例示的なアルカリ金属炭酸塩は、炭酸ナトリウム、炭酸カリウム、炭酸水素塩、セスキ炭酸塩、およびそれらの混合物を含むが、これらに限定されない。使用され得る例示的なアルカリ金属水酸化物は、水酸化ナトリウム、水酸化リチウム、または水酸化カリウムを含むが、これらに限定されない。使用され得る例示的な金属ケイ酸塩は、ケイ酸ナトリウムもしくはケイ酸カリウムまたはメタケイ酸ナトリウムもしくはメタケイ酸カリウムを含むが、これらに限定されない。例示的な金属ホウ酸塩は、ホウ酸ナトリウムまたはホウ酸カリウムを含むが、これらに限定されない。
【００５７】
有機アルカリ性源は、多くの場合、例えば、アンモニア（水酸化アンモニウム）、アミン、アルカノールアミン、およびアミノアルコールを含む強窒素塩基である。アミンの典型的な例は、少なくとも１つの窒素結合炭化水素基を担持する第一級、第二級、または第三級アミンおよびジアミンを含み、それは、少なくとも１０個の炭素原子、好ましくは１６〜２４個の炭素原子を有する飽和もしくは不飽和の直鎖状もしくは分岐状アルキル基、または最大２４個の炭素原子を含有するアリール、アラルキル、もしくはアルカリール基を表し、任意選択の他の窒素結合基は、任意選択で置換されたアルキル基、アリール基、またはアラルキル基またはポリアルコキシ基によって形成される。アルカノールアミンの典型的な例は、モノエタノールアミン、モノプロパノールアミン、ジエタノールアミン、ジプロパノールアミン、トリエタノールアミン、トリプロパノールアミンなどを含む。アミノアルコールの典型的な例は、２−アミノ−２−メチル−１−プロパノール、２−アミノ−１−ブタノール、２−アミノ−２−メチル−１，３−プロパンジオール、２−アミノ−２−エチル−１，３−プロパンジオール、ヒドロキシメチルアミノメタンなどを含む。
【００５８】
一般に、アルカリ性源は、水性または粉末形態のいずれかで一般的に利用可能である。好ましくは、アルカリ性源は、固体形態である。アルカリ度は、水溶液に溶解した固体ビーズ、造粒もしくは微粒子形態、またはそれらの組み合わせを含む、当該技術分野で既知の任意の形態の組成物に添加され得る。
【００５９】
好ましい実施形態では、洗浄用組成物は、約０．０１重量％〜約９９重量％の量のアルカリ性源を含む。いくつかの実施形態では、アルカリ性源は、洗浄用組成物の総重量の約３５重量％〜約９５重量％であろう。使用溶液に希釈される際に、組成物は、約５ｐｐｍ〜約２５，０００ｐｐｍのアルカリ性源を含み得る。
【００６０】
再堆積防止剤
洗浄用組成物は、任意選択で、洗浄またはすすぎ溶液中で汚れの持続的懸濁を促進すること、ならびに洗浄されているおよび／またはすすがれている基材上に除去された汚れが再堆積するのを防止できる再堆積防止剤を含み得る。好適な再堆積防止剤のいくつかの例は、脂肪酸アミド、フッ化炭素界面活性剤、複合リン酸エステル、スチレンマレイン酸無水物共重合体、およびヒドロキシエチルセルロース、ヒドロキシプロピルセルロースなどのようなセルロース誘導体を含み得る。洗浄用組成物は、最大約１０重量％、いくつかの実施形態では、約１〜約５重量％の範囲の再堆積防止剤を含み得る。
【００６１】
漂白剤
洗浄用組成物は、任意選択で、漂白剤を含み得る。漂白剤は、基材を明るくするかもしくは白くするために使用され得、典型的にクレンジングプロセス中に遭遇される条件下で、Ｃｌ２、Ｂｒ２、−ＯＣｌ−、および／もしくは−ＯＢｒ−などのような、活性ハロゲン種を遊離させることができる漂白化合物を含み得る。使用に好適な漂白剤は、例えば、塩素、次亜塩素酸塩、クロラミンなどのような塩素含有化合物を含み得る。ハロゲン放出化合物のいくつかの例は、アルカリ金属ジクロロイソシアヌレート、塩素化リン酸三ナトリウム、アルカリ金属次亜塩素酸塩、モノクロラミンおよびジクロラミンなどを含む。被包された塩素源は、組成物中の塩素源の安定性を増強するためにも使用され得る（例えば、その開示が参照により本明細書に組み込まれる、米国特許第４，６１８，９１４号および同第４，８３０，７７３号を参照されたい）。漂白剤はまた、活性酸素源を含有するか、または活性酸素源として作用する薬剤も含み得る。活性酸素化合物は、活性酸素源を提供するように作用し、例えば、水溶液中に活性酸素を放出できる。活性酸素化合物は、無機もしくは有機であり得、またはそれらの混合物であり得る。活性酸素化合物のいくつかの例は、過酸素（ｐｅｒｏｘｙｇｅｎ）化合物、または過酸素化合物付加物を含む。活性酸素化合物または活性酸素源のいくつかの例は、テトラアセチルエチレンジアミンなどのような活性化剤の有無に関わらず、過酸化水素、過ホウ酸、炭酸ナトリウム過酸化水素化物、リン酸過酸化水素化物、モノ過硫酸カリウム（ｐｏｔａｓｓｉｕｍ  ｐｅｒｍｏｎｏｓｕｌｆａｔｅ）、ならびに過ホウ酸ナトリウム一水和物および過ホウ酸ナトリウム四水和物を含む。
【００６２】
好ましい漂白剤は、アルカリ金属過ホウ酸塩、アルカリ金属炭酸塩過水和物、過酸、次亜塩素酸塩、およびそれらの組み合わせを含み得るが、これらに限定されない。過酸の好適な例は、過酢酸、Ｃ１〜Ｃ１２ペルカルボン酸、Ｃ８〜Ｃ１６ジペルカルボン酸、イミドペルカプロン酸、アリールジペルカプロン酸、直鎖および分岐オクタン−、ノナン−、デカン−またはドデカン−モノ過酸、デカン−およびドデカン−ジ過酸、モノ−およびジ−ペルフタル酸、イソフタル酸およびテレフタル酸、フタルイミドペルカプロン酸、テレフタロイルジペルカプロン酸、高分子過酸、それらの塩、およびそれらの組み合わせを含むが、これらに限定されない。
【００６３】
洗浄用組成物は、少量だが有効量の、例えば、いくつかの実施形態では約０．５〜約３０重量％の範囲の漂白剤を含み得る。
【００６４】
ビルダー
洗浄用組成物は、ビルダーを含み得る。好ましいビルダーは、有機ビルダーを含む。追加的には、有機ビルダーは、ポリアスパラギン酸またはアスパラギン酸と、Ｃ４〜Ｃ２５モノ−またはジ−カルボン酸および／もしくはＣ４〜Ｃ２５モノ−またはジ−アミンを含むがこれらに限定されない１つ以上のアミノ酸との共縮合物を含み得る。一実施形態では、共縮合体は、リンを含む酸においてＣ６〜Ｃ２２モノ−もしくはジ−カルボン酸でまたはＣ６〜Ｃ２２モノ−もしくはジ−アミンで修飾されたポリアスパラギン酸を含む。
【００６５】
さらに、有機ビルダーは、クエン酸とヒドロキシカルボン酸またはポリヒドロキシ化合物との縮合生成物を含み得る。最も典型的には、クエン酸の縮合生成物は、カルボキシル基を含み、最大１０，０００ｇ／ｍｏｌの数平均分子量を有する。さらに、有機ビルダーは、エチレンジアミンジコハク酸、オキシジコハク酸、アミノポリカルボキシレート、アミノポリアルキレンホスホネート、ポリグルタメート、およびそれらの組み合わせを含み得る。また、好適なホスホン酸の非限定的な例は、ヒドロキシエタンジホスホン酸を含む。
【００６６】
代替的には、有機ビルダーは、オレフィン、エーテル、エステル、アミン、酸化デンプン、およびそれらの組み合わせの群から選択され得る。好適なオレフィン、エーテル、エステル、およびアミンは、モノエチレン性不飽和Ｃ２〜Ｃ２２オレフィン、Ｃ１〜Ｃ８アルキル基を有するビニルアルキルエーテル、スチレン、Ｃ１〜Ｃ８カルボン酸のビニルエステル、（メタ）アクリルアミドおよびビニルピロリドン、Ｃ１〜Ｃ８アルコールの（メタ）アクリル酸エステル、（メタ）アクリロニトリル、Ｃ１〜Ｃ８アミンの（メタ）アクリルアミド、Ｎ−ビニルホルムアミドおよびビニルイミダゾールを含むが、これらに限定されない。一実施形態では、有機ビルダーは、組成物中に０．１〜２０重量％の量で存在する。
【００６７】
カルボン酸グラフトポリマー
カルボン酸のグラフトポリマーの好適な例は、グラフトベースおよび不飽和カルボン酸を含む。カルボン酸は、マレイン酸、フマル酸、イタコン酸、シトラコン酸、アクリル酸、メタクリル酸、クロトン酸、ビニル酢酸、およびそれらの組み合わせを含むが、これらに限定されない。カルボン酸のグラフトポリマーに含まれる好適なグラフトベースは、酸でおよび／または酵素的に分解されたデンプン、イヌリン、セルロース、タンパク質加水分解物、マンニトール、ソルビトール、アミノソルビトールおよびＮ−アルキルグルカミンのような還元され分解された多糖類、エチレンオキシド／プロピレンオキシドブロック共重合体、エチレンオキシド／ブチレンオキシドブロック共重合体、エチレンオキシド／プロピレンオキシド／ブチレンオキシドブロック共重合体のようなアルキレンオキシドブロック共重合体、ならびに第１および第２の界面活性剤とは異なるアルコキシル化一価または多価Ｃ１〜Ｃ７アルコールおよび／またはＣ１５〜Ｃ２２アルコールを含む。アルコキシル化一価または多価Ｃ１〜Ｃ７アルコールおよび／またはＣ１５〜Ｃ２２アルコールが組成物に含まれる場合、これらのアルコキシル化アルコールは、第１および第２の界面活性剤と同等ではなく、第１および第２の界面活性剤に加えてのみ含まれ得ることを理解されたい。一実施形態では、１００重量部のグラフトベースあたり２０〜８０重量部のカルボン酸が、重合され得る。この実施形態では、９０：１０〜１０：９０の重量比のマレイン酸とアクリル酸との混合物は、典型的には、グラフトベースと重合される。
【００６８】
キレート剤／金属イオン封鎖剤
洗浄用組成物は、ビルダーとも称される有効量のキレート剤／金属イオン封鎖剤も含み得る。加えて、洗浄用組成物は、任意選択で、機能性成分として１つ以上の追加的なビルダーを含み得る。一般に、キレート剤は、すすぎ助剤の他の成分または他の洗浄用組成物の作用に金属イオンが干渉するのを防止するための、水源において一般的に見出される金属イオンを配位（すなわち、結合）させることができる分子である。キレート剤／金属イオン封鎖剤は、有効量で含まれる際に、水質調整剤としても機能できる。いくつかの実施形態では、洗浄用組成物は、最大約３５重量％の範囲、または約１〜３０重量％の範囲のキレート剤／金属イオン封鎖剤を含み得る。
【００６９】
多くの場合、洗浄用組成物はまた、リン酸塩および／または硫酸塩を含まない。リン酸塩を含まない固体洗浄用組成物の実施形態では、ビルダーを含む追加的な機能性材料は、縮合リン酸塩およびホスホネートのようなリン含有化合物を除外する。
【００７０】
好適な追加的なビルダーは、アミノカルボキシレートおよびポリカルボキシレートを含む。キレート剤／金属イオン封鎖剤として有用なアミノカルボキシレートのいくつかの例は、Ｎ−ヒドロキシエチルイミノ二酢酸、ニトリロ三酢酸（ＮＴＡ）、エチレンジアミン四酢酸（ＥＤＴＡ）、Ｎ−ヒドロキシエチル−エチレンジアミン三酢酸（ＨＥＤＴＡ）（結合剤に使用されるＨＥＤＴＡに加えて）、ジエチレントリアミン五酢酸（ＤＴＰＡ）、メチルグリシン二酢酸（ＭＧＤＡ）、グルタミン酸二酢酸（ＧＬＤＡ）を含む。金属イオン封鎖剤としての使用に好適なポリマーポリカルボキシレートのいくつかの例は、ペンダントカルボキシレート（−−ＣＯ２）基を有するものを含み、例えば、ポリアクリル酸、マレイン酸／オレフィン共重合体、アクリル／マレイン酸共重合体、ポリメタクリル酸、アクリル酸−メタクリル酸共重合体、加水分解されたポリアクリルアミド、加水分解されたポリメタクリルアミド、加水分解されたポリアミド−メタクリルアミド共重合体、加水分解されたポリアクリロニトリル、加水分解されたポリメタクリロニトリル、加水分解されたアクリロニトリル−メタクリロニトリル共重合体などを含む。
【００７１】
リン酸塩を含まなくない固体洗浄用組成物の実施形態では、追加されるキレート剤／金属イオン封鎖剤は、例えば、縮合リン酸塩、ホスホネートなどを含み得る。縮合リン酸塩のいくつかの例は、オルトリン酸ナトリウムおよびオルトリン酸カリウム、ピロリン酸ナトリウムおよびピロリン酸カリウム、トリポリリン酸ナトリウム、ヘキサメタリン酸ナトリウムなどを含む。縮合リン酸塩はまた、組成物中に存在する自由水を水和の水として固定することによって、限定された程度で、組成物の固化において補助できる。
【００７２】
リン酸塩を含まなくない固体洗浄用組成物の実施形態では、組成物は、１−ヒドロキシエタン−１，１−ジホスホン酸ＣＨ３Ｃ（ＯＨ）［ＰＯ（ＯＨ）２］２、アミノトリ（メチレンホスホン酸）Ｎ［ＣＨ２ＰＯ（ＯＨ）２］３、アミノトリ（メチレンホスホネート）、ナトリウム塩
【化６】
2021512212.tif 000010
２−ヒドロキシエチルイミノビス（メチレンホスホン酸）ＨＯＣＨ２ＣＨ２Ｎ［ＣＨ２ＰＯ（ＯＨ）２］２、ジエチレントリアミンペンタ（メチレンホスホン酸）（ＨＯ）２ＰＯＣＨ２Ｎ［ＣＨ２Ｎ［ＣＨ２ＰＯ（ＯＨ）２］２］２、ジエチレントリアミンペンタ（メチレンホスホネート）、ナトリウム塩Ｃ９Ｈ（２８−ｘ）Ｎ３ＮａｘＯ１５Ｐ５（ｘ＝７）、ヘキサメチレンジアミン（テトラメチレンホスホネート）、カリウム塩Ｃ１０Ｈ（２８−ｘ）Ｎ２ＫｘＯ１２Ｐ４（ｘ＝６）、ビス（ヘキサメチレン）トリアミン（ペンタメチレンホスホン酸）（ＨＯ２）ＰＯＣＨ２Ｎ［（ＣＨ２）６Ｎ［ＣＨ２ＰＯ（ＯＨ）２］２］２、およびリン酸Ｈ３ＰＯ３のようなホスホネートを含み得る。いくつかの実施形態では、ＡＴＭＰおよびＤＴＰＭＰのようなホスホネートの組み合わせが、使用され得る。ホスホネートが添加される際に、中和反応によって生成される熱もしくはガスが、ほとんどないか、もしくは全くないように、中和されたもしくはアルカリのホスホネート、または混合物中に添加される前のホスホネートとアルカリ性源との組み合わせが、使用され得る。
【００７３】
キレート剤／金属イオン封鎖剤のさらなる議論については、その開示が参照により本明細書に組み込まれる、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，ｖｏｌｕｍｅ  ５，ｐａｇｅｓ  ３３９−３６６  ａｎｄ  ｖｏｌｕｍｅ  ２３，ｐａｇｅｓ  ３１９−３２０を参照されたい。
【００７４】
移染防止剤
好適な移染防止剤は、移染防止剤、例えば、１５，０００〜１００，０００ｇ／ｍｏｌの数平均分子量を有するビニルピロリドン、ビニルイミダゾール、ビニルオキサゾリドンおよび４−ビニルピリジンＮ−オキシドのホモポリマーおよび共重合体を含むが、これらに限定されない。一実施形態では、組成物は、０．０５〜５重量％の量で存在する移染防止剤を含む。
【００７５】
ジカルボン酸共重合体
ジカルボン酸の好適な共重合体の例は、１００，０００〜１５０，０００の分子量を有する１００：９０〜９５：５、およびより典型的には３０：７０〜９０：１０の重量比のマレイン酸とアクリル酸との共重合体、ならびに４０：６０〜８０：２０モル比でＣ２〜Ｃ８オレフィンとマレイン酸の共重合体を含むが、これらに限定されない。カルボン酸の好適なターポリマーの非限定的な例は、マレイン酸、アクリル酸、およびＣ１〜Ｃ３カルボン酸のビニルエステルのターポリマーを、１０（マレイン酸）：９０（アクリル酸＋ビニルエステル）：９５（マレイン酸）：１０（アクリル酸＋ビニルエステル）の重量比で含み、アクリル酸のビニルエステルに対する重量比は、３０：７０〜７０：３０である。
【００７６】
染料／付臭剤
様々な染料、香料を含む付臭剤、および他の美観向上剤は、固体洗浄用組成物にも含まれ得る。染料は、例えば、ＦＤ＆Ｃ  Ｂｌｕｅ  １（Ｓｉｇｍａ  Ｃｈｅｍｉｃａｌ）、ＦＤ＆Ｃ  Ｙｅｌｌｏｗ  ５（Ｓｉｇｍａ  Ｃｈｅｍｉｃａｌ）、Ｄｉｒｅｃｔ  Ｂｌｕｅ  ８６（Ｍｉｌｅｓ）、Ｆａｓｔｕｓｏｌ  Ｂｌｕｅ（Ｍｏｂａｙ  Ｃｈｅｍｉｃａｌ  Ｃｏｒｐ．）、Ａｃｉｄ  Ｏｒａｎｇｅ  ７（Ａｍｅｒｉｃａｎ  Ｃｙａｎａｍｉｄ）、Ｂａｓｉｃ  Ｖｉｏｌｅｔ  １０（Ｓａｎｄｏｚ）、Ａｃｉｄ  Ｙｅｌｌｏｗ  ２３（ＧＡＦ）、Ａｃｉｄ  Ｙｅｌｌｏｗ  １７（Ｓｉｇｍａ  Ｃｈｅｍｉｃａｌ）、Ｓａｐ  Ｇｒｅｅｎ（Ｋｅｙｓｔｏｎ  Ａｎａｌｉｎｅ  ａｎｄ  Ｃｈｅｍｉｃａｌ）、Ｍｅｔａｎｉｌ  Ｙｅｌｌｏｗ（Ｋｅｙｓｔｏｎｅ  Ａｎａｌｉｎｅ  ａｎｄ  Ｃｈｅｍｉｃａｌ）、Ａｃｉｄ  Ｂｌｕｅ  ９（Ｈｉｌｔｏｎ  Ｄａｖｉｓ）、Ｓａｎｄｏｌａｎ  Ｂｌｕｅ／Ａｃｉｄ  Ｂｌｕｅ  １８２（Ｓａｎｄｏｚ）、Ｈｉｓｏｌ  Ｆａｓｔ  Ｒｅｄ（Ｃａｐｉｔｏｌ  Ｃｏｌｏｒ  ａｎｄ  Ｃｈｅｍｉｃａｌ）、Ｆｌｕｏｒｅｓｃｅｉｎ（Ｃａｐｉｔｏｌ  Ｃｏｌｏｒ  ａｎｄ  Ｃｈｅｍｉｃａｌ）、Ａｃｉｄ  Ｇｒｅｅｎ  ２５（Ｃｉｂａ−Ｇｅｉｇｙ）などとして、組成物の外観を変更するために含まれ得る。
【００７７】
固体洗浄用組成物に含まれ得る芳香剤または香料は、例えば、シトロネロールのようなテルペノイド、アミルシンナムアルデヒドのようなアルデヒド、Ｃ１Ｓ−ジャスミンまたはジャスマール（ｊａｓｍａｌ）のようなジャスミン、バニリンなどを含む。
【００７８】
酵素および酵素安定剤
洗浄用組成物は、任意選択で、酵素を含み得る。好ましい酵素は、表面からタンパク質系、炭水化物系、またはトリグリセリド系の汚れの除去のため、医療用および歯科用器具、デバイス、および設備用の予浸のような洗浄、染み抜き、および清浄予浸のため、食卓用品、調理器物、および卓上器物の予浸、または肉切断設備用の予浸のため、機械器物洗浄のため、洗濯および織物洗浄および染み抜きのため、カーペット洗浄および染み抜きのため、定置洗浄および定置染み抜きのため、食品加工表面および設備の洗浄および染み抜きのため、排水管洗浄のため、洗浄のための予浸などのために、望ましい活性を提供する酵素を含む。本開示を限定しないが、固体洗剤組成物に好適な酵素は、器具またはデバイス上で遭遇する汚れ残留物の１つ以上の型を分解するまたは変質させることによって作用し、したがって、洗浄用組成物の界面活性剤または他の構成成分によって汚れを除去するかまたは汚れをより除去可能にすることができる。汚れ残留物の分解および変質の両方は、洗浄されている器具またはデバイスに汚れが結合する物理化学的な力を低下させる、すなわち、汚れがより水溶性になることによって、洗浄力を改善できる。例えば、１つ以上のプロテアーゼは、汚れ残留物中に存在する複雑な高分子タンパク質構造を、該プロテアーゼを含有する洗浄性溶液によって、それ自体が表面からより容易に脱着されるか、可溶化されるか、または他の方法でより容易に除去される、より単純な短鎖分子に切断できる。
【００７９】
好適な酵素は、植物性、動物性、細菌性、真菌性、または酵母由来のような、任意の好適な由来のプロテアーゼ、アミラーゼ、リパーゼ、グルコナーゼ（ｇｌｕｃｏｎａｓｅ）、セルラーゼ、ペルオキシダーゼ、ペクチナーゼ、マンナナーゼ、またはそれらの混合物を含む。好ましい選択は、ｐＨ活性および／または安定性最適条件（ｓｔａｂｉｌｉｔｙ  ｏｐｔｉｍａ）、熱安定性、ならびに活性洗剤、ビルダーなどに対する安定性のような要因によって影響を受ける。この点で、細菌性アミラーゼおよびプロテアーゼ、ならびに真菌性セルラーゼのような細菌性または真菌性酵素が好ましい。好ましくは、酵素はプロテアーゼ、リパーゼ、アミラーゼ、またはそれらの組み合わせである。
【００８０】
本明細書で使用される場合、「洗浄性酵素」は、医療用または歯科用器具、デバイス、もしくは設備のような器具、デバイス、もしくは設備のための、または洗濯、織物、器物洗浄、定置洗浄、排水管、カーペット、肉切断道具、硬面、パーソナルケアなどのための固体洗剤組成物の構成成分として、洗浄、染み抜き、または他の方法における有益な効果を有する酵素を意味する。
【００８１】
好ましい洗浄性酵素は、プロテアーゼ、アミラーゼ、リパーゼ、またはそれらの組み合わせのような加水分解酵素を含む。医療用または歯科用デバイスまたは器具を洗浄するための固体洗剤組成物中の好ましい酵素は、プロテアーゼ、アミラーゼ、セルラーゼ、リパーゼ、またはそれらの組み合わせを含む。
【００８２】
食品加工表面および設備のための固体洗剤組成物中の好ましい酵素は、プロテアーゼ、リパーゼ、アミラーゼ、グルコナーゼ、またはそれらの組み合わせを含む。
【００８３】
洗濯または織物のための固体洗剤組成物中の好ましい酵素は、プロテアーゼ、セルラーゼ、リパーゼ、ペルオキシダーゼ、またはそれらの組み合わせを含む。
【００８４】
カーペットのための固体洗剤組成物中の好ましい酵素は、プロテアーゼ、アミラーゼ、またはそれらの組み合わせを含む。
【００８５】
肉切断道具のための固体洗剤組成物中の好ましい酵素は、プロテアーゼ、リパーゼ、またはそれらの組み合わせを含む。
【００８６】
硬面のための固体洗剤組成物中の好ましい酵素は、プロテアーゼ、リパーゼ、アミラーゼ、またはそれらの組み合わせを含む。
【００８７】
排水管のための固体洗剤組成物中の好ましい酵素は、プロテアーゼ、リパーゼ、アミラーゼ、またはそれらの組み合わせを含む。
【００８８】
好ましい酵素は、これらに限定されないが、以下、Ｌａｖｅｒｇｙ  Ｐｒｏ、Ｓａｖｉｎａｓｅ（登録商標）およびＥｓｐｅｒａｓｅ（登録商標）のようなプロテアーゼ、Ｌｉｐｅｘ（登録商標）のようなリパーゼ、Ｃｅｌｌｕｚｙｍのようなセルラーゼ、ならびにそれらの組み合わせを含む、市販されているものを含む。Ｓａｖｉｎａｓｅ（登録商標）、Ｅｓｐｅｒａｓｅ（登録商標）、Ｌｉｐｏｌａｓｅ（登録商標）、およびＣｅｌｌｕｃｌｅａｎの各々は、ノースカロライナ州フランクリントンのＮｏｖｏｚｙｍｅｓから市販されている。
【００８９】
酵素は、通常、洗浄または予浸手順中に効果的な洗浄を生成するのに十分な量で、本開示に従って固体洗剤組成物中に組み込まれる。洗浄に効果的な量は、特に医療用または歯科用デバイスまたは器具のための、洗浄された材料に、清潔な、衛生的な、および好ましくは腐食のない外観を生み出す量を指す。洗浄に効果的な量は、医療用または歯科用デバイスまたは器具などのような基材に、洗浄、染み除去、汚れ除去、美白、脱臭、または清涼さの改善効果を生み出す量も指すことができる。かかる洗浄効果は、洗剤組成物の約０．１重量％ほどの少量の酵素で達成され得る。本発明の洗浄用組成物では、好適な洗浄は、酵素が約０．５〜約２５重量％、好ましくは、約１〜約１５重量％、好ましくは約１〜約１０重量％、好ましくは約１〜約８重量％で存在する際に、典型的に達成され得る。より高い酵素レベルは、典型的には、高濃度の洗浄または予浸製剤において望ましい。予浸は、好ましくは、約１：５００の希釈時の使用のために、または酵素の使用濃度を約２０〜約４０ｐｐｍにする約２０００〜約４０００ｐｐｍの製剤濃度までに、製剤化される。
【００９０】
アルカリプロテアーゼのような市販の酵素は、液体または乾燥形態で入手可能であり、未加工水溶液として、または精製されて分類され、加工されかつ調合された各種形態で販売され、一般に安定剤、緩衝液、補因子、不純物および不活性ビヒクルと組み合わされて約２重量％〜約８０重量％の活性酵素を含む。実際の活性酵素含有量は、固体洗剤組成物が所望の酵素活性を有すると仮定すると、製造方法に依存し、重要ではない。本開示のプロセスおよび生成物における使用のために選択される特定の酵素は、物理的な生成物の形態、使用ｐＨ、使用温度、および分解または変質される汚れの型を含む、最終的な有用性の条件に依存する。酵素は、任意の所与の一連の有用性条件に対して最適な活性および安定性を提供するように選択され得る。
【００９１】
本発明の洗浄用組成物は、タンパク質含有汚れを洗浄するために少なくともプロテアーゼを含み得る。さらに、増強されたプロテアーゼ活性は、アミラーゼ、セルラーゼ、リパーゼ、ペルオキシダーゼ、エンドグルカナーゼ酵素およびそれらの混合物、好ましくはリパーゼまたはアミラーゼ酵素のような、１つ以上の追加的な酵素の存在下で起こり得る。
【００９２】
酵素に関する有益な参照文献は、“Ｉｎｄｕｓｔｒｉａｌ  Ｅｎｚｙｍｅｓ”，Ｓｃｏｔｔ，Ｄ．，ｉｎ  Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｒｄ  Ｅｄｉｔｉｏｎ，（ｅｄｉｔｏｒｓ  Ｇｒａｙｓｏｎ，Ｍ．  ａｎｄ  ＥｃＫｒｏｔｈ，Ｄ．）Ｖｏｌ．９，ｐｐ．１７３  ２２４，Ｊｏｈｎ  Ｗｉｌｅｙ  ＆  Ｓｏｎｓ，Ｎｅｗ  Ｙｏｒｋ，１９８０である。酵素を使用する際に、洗浄方法は、酵素安定化剤の使用も含み得る。
【００９３】
充填剤
固体洗浄用組成物は、任意選択で、少量であるが有効量の１つ以上の充填剤を含み得る。好適な充填剤のいくつかの例は、塩化ナトリウム、デンプン、糖類、プロピレングリコールのようなＣ１〜Ｃ１０アルキレングリコール、硫酸塩、ＰＥＧ、尿素、酢酸ナトリウム、硫酸マグネシウム、酢酸ナトリウム、硫酸マグネシウム、炭酸ナトリウムなどを含み得る。いくつかの実施形態では、充填剤は、最大約５０重量％の範囲、いくつかの実施形態では、約１〜１５重量％の範囲の量で含まれ得る。
【００９４】
泡抑制剤
好適な泡抑制剤は、オルガノポリシロキサン、シリカ、パラフィン、ワックス、微結晶性ワックス、およびそれらの組み合わせを含むが、これらに限定されない。
【００９５】
機能性ポリジメチルシロキサン
固体洗浄用組成物は、任意選択で、１つ以上の機能性ポリジメチルシロキサンも含み得る。例えば、いくつかの実施形態では、ポリアルキレンオキシド修飾ポリジメチルシロキサン、非イオン性界面活性剤、またはポリベタイン修飾ポリシロキサン両性界面活性剤が、添加剤として採用され得る。両方とも、いくつかの実施形態では、ポリエーテルまたはポリベタインがそれに対してヒドロシリル化反応を通してグラフト化されている直鎖ポリシロキサン共重合体である。特定のシロキサン界面活性剤のいくつかの例は、Ｕｎｉｏｎ  Ｃａｒｂｉｄｅから入手可能なＳＩＬＷＥＴ（登録商標）界面活性剤、またはＧｏｌｄｓｃｈｍｉｄｔ  Ｃｈｅｍｉｃａｌ  Ｃｏｒｐ．から入手可能なＡＢＩＬ（登録商標）ポリエーテルもしくはポリベタインポリシロキサン共重合体として知られており、特許が参照により本明細書に組み込まれる米国特許第４，６５４，１６１号に記載される。いくつかの実施形態では、使用される特定のシロキサンは、例えば、低表面張力、高湿潤能力、および優れた潤滑性を有するように記載され得る。例えば、これらの界面活性剤は、ポリテトラフルオロエチレンの表面を湿潤にすることができる数少ない界面活性剤であると言われる。添加剤として採用されるシロキサン界面活性剤は、単独でまたはフルオロケミカル界面活性剤と組み合わせて使用され得る。いくつかの実施形態では、任意選択でシランと組み合わされて添加剤として採用されるフルオロケミカル界面活性剤は、例えば、非イオン性フルオロ炭化水素、例えば、フッ素化アルキルポリオキシエチレンエタノール、フッ素化アルキルアルコキシレートおよびフッ素化アルキルエステルであり得る。
【００９６】
かかる機能性ポリジメチルシロキサンおよび／またはフルオロケミカル界面活性剤のさらなる説明は、これらの全ての特許が、参照により本明細書に組み込まれる米国特許第５，８８０，０８８号、同第５，８８０，０８９号、および同第５，６０３，７７６号に記載される。例えば、混合物中のある特定のポリシロキサン共重合体の炭化水素界面活性剤と共に使用することは、プラスチック器物に対する優れたすすぎ助剤を提供することを見出した。ある特定のシリコーンポリシロキサン共重合体およびフッ化炭素界面活性剤の、従来の炭化水素界面活性剤との組み合わせはまた、プラスチック器物に対する優れたすすぎ助剤を提供することも見出した。この組み合わせは、有効性がほぼ同等であるある特定のポリアルキレンオキシド修飾ポリジメチルシロキサンおよびポリベタインポリシロキサン共重合体を有することを除き、個々の構成成分よりも優れていることが見出されている。したがって、いくつかの実施形態はポリシロキサン共重合体単独を包含し、フッ化炭素界面活性剤との組み合わせは非イオン性シロキサン界面活性剤であるポリエーテルポリシロキサンに関与できる。両性シロキサン界面活性剤であるポリベタインポリシロキサン共重合体は、同じ結果を提供するために、洗浄用組成物中の添加剤として単独で採用され得る。
【００９７】
いくつかの実施形態では、組成物は、最大約１０重量％の範囲の量で機能性ポリジメチルシロキサンを含み得る。例えば、いくつかの実施形態は、約０．１〜１０重量％の範囲のポリアルキレンオキシド修飾ポリジメチルシロキサンまたはポリベタイン修飾ポリシロキサンを、任意選択で、約０．１〜１０重量％のフッ素化炭化水素非イオン性界面活性剤と組み合わせて含み得る。
【００９８】
灰色化防止剤
好適な灰色化防止剤は、エチレンオキシドおよび／またはプロピレングリコールと芳香族ジカルボン酸または芳香族および脂肪族ジカルボン酸とのポリエチレンオキシドのポリエステル、片方の末端が二価および／または多価アルコールまたはジカルボン酸、ポリエチレンイミン、ポリエチレンイミンエトキシレート、およびそれらの組み合わせで末端封止された（ｔｅｒｍｉｎａｌｌｙ  ｃａｐｐｅｄ）ポリエチレンオキシドのポリエステルを含むが、これらに限定されない。
【００９９】
硬化剤／固化剤／溶解度調整剤
いくつかの実施形態では、１つ以上の固化剤が、洗浄用組成物に含まれ得る。硬化剤の例は、尿素、アミド、かかるステアリン酸モノエタノールアミドまたはラウリン酸ジエタノールアミドまたはアルキルアミドなど、硫酸塩または硫酸化界面活性剤、および芳香族スルホン酸塩など、固体ポリエチレングリコール、または固体ＥＯ／ＰＯブロック共重合体など、酸またはアルカリ処理プロセスを通じて水溶性になっているデンプン、冷却時に固化特性を加熱された組成物に付与する様々な無機物などを含む。かかる化合物はまた、活性成分が長期間にわたり固体組成物から分注され得るように、使用中に水性媒体への組成物の可溶性を変化させることができる。
【０１００】
好適な芳香族スルホン酸塩は、キシレンスルホン酸ナトリウム、トルエンスルホン酸ナトリウム、クメンスルホン酸ナトリウム、トルエンスルホン酸カリウム、キシレンスルホン酸アンモニウム、キシレンスルホン酸カルシウム、アルキルナフタレンスルホン酸ナトリウム、および／またはブチルナフタレンナトリウムを含むが、これらに限定されない。好ましい芳香族スルホン酸塩は、キシレンスルホン酸ナトリウムおよびクメンスルホン酸ナトリウムを含む。
【０１０１】
洗浄用組成物に含まれる固化剤の量は、所望の効果によって影響され得る。一般に、有効量の固化剤は、他の材料の有無に関わらず、洗浄用組成物を固化させるように作用する量であるとみなされる。典型的には、固体の実施形態では、洗浄用組成物中の固化剤の量は、洗浄用組成物の約１０〜約８０重量％の範囲、好ましくは約２０〜約７５重量％の範囲、より好ましくは洗浄用組成物の約２０〜約７０重量％の範囲である。固化剤は、実質的に硫酸塩を含まない。例えば、洗浄用組成物は、１重量％未満、好ましくは０．５重量％未満、より好ましくは０．１重量％未満の硫酸塩を有することができる。好ましい実施形態では、洗浄用組成物は、硫酸塩を含まない。
【０１０２】
ある特定の実施形態では、第２の固化剤を有することが望ましい場合がある。第２の固化物を含有する組成物では、組成物は、最大約５０重量％の範囲の量で第２の固化剤を含み得る。いくつかの実施形態では、第２の硬化剤は、約５〜約３５重量％の範囲、多くの場合、約１０〜約２５重量％の範囲、および時折、約５〜約１５重量％の範囲の量で存在し得る。
【０１０３】
いくつかの実施形態では、１つ以上の追加的な硬化剤が、所望される場合に固体洗浄用組成物に含まれ得る。硬化剤の例は、アミド、かかるステアリン酸モノエタノールアミドまたはラウリン酸ジエタノールアミドまたはアルキルアミドなど、固体ポリエチレングリコール、または固体ＥＯ／ＰＯブロック共重合体など、酸またはアルカリ処理プロセスを通じて水溶性になっているデンプン、冷却時に固化特性を加熱された組成物に付与する様々な無機物などを含む。成分が長期間にわたり固体組成物から分注され得るように、そのような化合物はまた、使用中に水性媒体への組成物の可溶性を変化させることができる。組成物は、最大約３０重量％の範囲の量で第２の硬化剤を含み得る。いくつかの実施形態では、第２の硬化剤は、約５〜約２５重量％の範囲、多くの場合、約１０〜約２５重量％の範囲、および時折約５〜約１５重量％の範囲の量で存在し得る。
【０１０４】
保湿剤
固体洗浄用組成物は、任意選択で、１つ以上の保湿剤も含み得る。保湿剤は、水に対する親和性を有する物質である。保湿剤は、基材表面上のフィルムの可視性を低下させる助けとなるのに十分な量で提供され得る。基材表面上のフィルムの可視性は、すすぎ水が２００ｐｐｍ超の総溶解固体を含有する際に、特に懸念される。したがって、いくつかの実施形態では、保湿剤は、保湿剤を含有しないすすぎ剤組成物と比較して、すすぎ水が２００ｐｐｍ超の総溶解固体を含有する際に基材表面上のフィルムの可視性を低下させるのに十分な量で提供される。用語「水固体フィルム形成」または「フィルム形成」は、基材表面が清潔でないという外観を与える基材表面上の目に見える連続した物質の層の存在を指す。
【０１０５】
使用され得るいくつかの例示的な保湿剤は、５０％の相対湿度および室温で平衡した（乾燥保湿剤に基づいて）５重量％超の水を含有するそれらの材料を含む。使用され得る例示的な保湿剤は、グリセリン、プロピレングリコール、ソルビトール、アルキルポリグリコシド、ポリベタインポリシロキサン、およびそれらの混合物を含む。いくつかの実施形態では、すすぎ剤組成物は、総組成物に基づいて最大約７５％の範囲、いくつかの実施形態では、組成物の重量に基づいて約５重量％〜約７５重量％の範囲の量で保湿剤を含み得る。
【０１０６】
水和可能な塩
本発明に従った固体洗浄用組成物は、任意選択で、少なくとも１つの水和可能な塩を含み得る。実施形態では、水和可能な塩は、炭酸ナトリウム（別名ソーダ灰または灰）および／または炭酸カリウム（別名カリ）である。好ましい態様では、水和可能な塩は、炭酸ナトリウムであり、炭酸カリウムを除外する。水和可能な塩は、およそ２０重量％〜およそ９０重量％、好ましくはおよそ２５重量％〜およそ９０重量％、より好ましくはおよそ３０重量％〜およそ７０重量％の範囲の炭酸ナトリウムのような水和可能な塩で提供され得る。当業者は、固化マトリックスの同等の特性を得るための他の好適な構成成分濃度範囲を理解するであろう。
【０１０７】
他の実施形態では、水和可能な塩は、他の固化剤と組み合わされ得る。例えば、水和可能な塩は、天然で無機である追加的な固化剤と共に使用され得、任意選択で、アルカリ性源としても作用できる。ある特定の実施形態では、第２の固化剤は、限定されないが、追加的なアルカリ金属水酸化物、無水炭酸ナトリウム、無水硫酸ナトリウム、無水酢酸ナトリウム、および他の既知の水和可能な化合物、またはそれらの組み合わせを含み得る。好ましい実施形態に従って、第２の水和可能な塩は、メタケイ酸ナトリウムおよび／または無水メタケイ酸ナトリウムを含む。固化を達成するために必要な第２の固化剤の量は、採用される正確な固化剤、組成物中の水の量、および他の洗浄用組成物構成成分の水和能力を含む、いくつかの要因に依存する。ある特定の実施形態では、二次固化剤は、追加的なアルカリ性源としても機能し得る。
【０１０８】
ポリマー
洗浄用組成物は、ポリマー、または少なくとも１つのポリカルボン酸ポリマー、共重合体、および／もしくはターポリマーで構成されるポリマーシステムを含み得る。特に好適なポリカルボン酸ポリマーは、ポリマレイン酸ホモポリマー、ポリアクリル酸共重合体、および無水マレイン酸／オレフィン共重合体を含むが、これらに限定されない。
【０１０９】
ポリマレイン酸（Ｃ４Ｈ２Ｏ３）ｘまたは加水分解された無水ポリマレイン酸、またはシス−２−ブテン二酸ホモポリマーは、次の構造式を有し、
【化７】
2021512212.tif 000011
式中、ｎおよびｍは任意の整数であり、マレイン酸部分および無水マレイン酸部分は統計的またはブロック的に配置され得る。本発明のために使用され得るポリマレイン酸ホモポリマー、共重合体、および／またはターポリマー（およびそれらの塩）の例は、特に好ましく、約１０００および約２５，０００、より好ましくは約１０００〜約５０００の分子量を有するものである。市販のポリマレイン酸ホモポリマーは、ＢＷＡ（商標）Ｗａｔｅｒ  Ａｄｄｉｔｉｖｅｓ，９７９  Ｌａｋｅｓｉｄｅ  Ｐａｒｋｗａｙ，Ｓｕｉｔｅ  ９２５  Ｔｕｃｋｅｒ，ＧＡ  ３００８４，ＵＳＡからのマレイン酸ホモポリマーのＢｅｌｃｌｅｎｅ  ２００シリーズ、ならびにＡｋｚｏＮｏｂｅｌから入手可能なＡｑｕａｔｒｅａｔ  ＡＲ−８０１を含む。ポリマレイン酸ホモポリマー、共重合体、および／またはターポリマーは、洗浄用組成物中に約０．０１重量％〜約３０重量％で存在し得る。
【０１１０】
洗浄用組成物は、ポリアクリル酸ポリマー、共重合体、および／またはターポリマーを使用できる。ポリアクリル酸は、以下の構造式を有し、
【化８】
2021512212.tif 000012
式中、ｎは任意の整数である。好適なポリアクリル酸ポリマー、共重合体、および／またはターポリマーの例は、ポリアクリル酸、（Ｃ３Ｈ４Ｏ２）ｎ、または２−プロペン酸、アクリル酸、ポリアクリル酸、プロペン酸のポリマー、共重合体、および／またはターポリマーを含むが、これらに限定されない。
【０１１１】
実施形態では、特に好適なアクリル酸ポリマー、共重合体、および／またはターポリマーは、約１００〜約１０，０００、好ましい実施形態では、約５００〜約７０００、さらにより好ましい実施形態では、１０００〜約５０００、最も好ましい実施形態では、約１５００〜約３５００の分子量を有する。本発明のために使用され得るポリアクリル酸ポリマー、共重合体、および／またはターポリマー（またはそれらの塩）の例は、Ｔｈｅ  Ｄｏｗ  Ｃｈｅｍｉｃａｌ  Ｃｏｍｐａｎｙ，Ｗｉｌｍｉｎｇｔｏｎ  Ｄｅｌａｗａｒｅ，ＵＳＡからのＡｃｕｓｏｌ  ４４８およびＡｃｕｓｏｌ  ４２５を含むが、これらに限定されない。特定の実施形態では、約１０，０００超の分子量を有するアクリル酸ポリマー（およびそれらの塩）を有することが望ましい場合がある。例は、両方がＤｏｗ  Ｃｈｅｍｉｃａｌから入手可能なＡｃｕｓｏｌ  ９２９（１０，０００ＭＷ）およびＡｃｕｍｅｒ  １５１０（６０，０００ＭＷ）、ＡｋｚｏＮｏｂｅｌ  Ｓｔｒａｗｉｎｓｋｙｌａａｎ  ２５５５  １０７７  ＺＺ  Ａｍｓｔｅｒｄａｍ  Ｐｏｓｔｂｕｓ  ７５７３０  １０７０  ＡＳ  ＡｍｓｔｅｒｄａｍからのＡＱＵＡＴＲＥＡＴ  ＡＲ−６（１００，０００ＭＷ）を含むが、これらに限定されない。ポリアクリル酸ポリマー、共重合体、および／またはターポリマーは、組成物中に約から存在し得、洗浄用組成物中に０．０１重量％〜約３０重量％存在し得る。
【０１１２】
無水マレイン酸／オレフィン共重合体は、無水ポリマレイン酸とオレフィンとの共重合体である。無水マレイン酸（（Ｃ２Ｈ２（ＣＯ）２Ｏは次の構造を有する。
【化９】
2021512212.tif 000013
無水マレイン酸の一部は、マレイミド、Ｎ−アルキル（Ｃ１〜４）マレイミド、Ｎ−フェニル−マレイミド、フマル酸、イタコン酸、シトラコン酸、アコニット酸、クロトン酸、ケイ皮１０酸、前述の酸のアルキル（Ｃ１〜１８）エステル、前述の酸のシクロアルキル（Ｃ３〜８）エステル、硫酸化ヒマシ油などによって置き換えられ得る。
【０１１３】
無水マレイン酸ポリマー、共重合体、またはターポリマーのうちの少なくとも９５重量％は、約７００〜約２０，０００、好ましくは約１０００〜約１００，０００の範囲の数平均分子量を有する。
【０１１４】
多様な直鎖および分岐鎖アルファ−オレフィンは、本発明の目的のために使用され得る。特に有用なアルファ−オレフィンは、ブタジエン、クロロプレン、イソプレン、および２−メチル−１，５−ヘキサジエンのような４〜１８個の炭素原子を含有するジエン、イソブチレン、１−ブテン、１−ヘキセン、１−オクテンなどのような４〜８個の炭素原子、好ましくはＣ４〜１０を含有する１−アルケンである。
【０１１５】
実施形態では、特に好適な無水マレイン酸／オレフィン共重合体は、約１０００〜約５０，０００、好ましい実施形態では、約５０００〜約２０，０００、最も好ましい実施形態では、約７５００〜約１２，５００の分子量を有する。本発明のために使用され得る無水マレイン酸／オレフィン共重合体の例は、Ｔｈｅ  Ｄｏｗ  Ｃｈｅｍｉｃａｌ  Ｃｏｍｐａｎｙ，Ｗｉｌｍｉｎｇｔｏｎ  Ｄｅｌａｗａｒｅ，ＵＳＡからのＡｃｕｓｏｌ  ４６０Ｎを含むが、これらに限定されない。無水マレイン酸／オレフィン共重合体は、洗浄用組成物中に約０．０１重量％〜約３０重量％で存在し得る。
【０１１６】
清浄剤／抗微生物剤
洗浄用組成物は、任意選択で、清浄剤を含み得る。抗微生物剤としても知られる清浄剤は、材料システム、表面などの微生物汚染および微生物劣化を防ぐために、固体機能性材料中において使用され得る化学組成物である。一般に、これらの材料は、フェノール類、ハロゲン化合物、第四級アンモニウム化合物、金属誘導体、アミン、アルカノールアミン、ニトロ誘導体、アナリド（ａｎａｌｉｄｅ）、または有機硫黄化合物および硫黄−窒素化合物、ならびに様々な化合物を含む特定のクラスに分類される。
【０１１７】
上の漂白剤の節で議論されたもののような活性酸素化合物は、抗微生物剤としても作用でき、清浄活性さえも提供できることも理解されたい。実際、いくつかの実施形態では、抗微生物剤として作用する活性酸素化合物の能力は、組成物中の追加的な抗微生物剤の必要性を低下させる。例えば、過炭酸塩組成物は、優れた抗微生物作用を提供することが実証されている。それでもなお、いくつかの実施形態は、追加的な抗微生物剤を組み込む。
【０１１８】
所与の抗微生物剤は、化学組成および濃度に依存して、微生物の数のさらなる増殖を単純に限定できるか、または微生物集団の全てもしくは一部を破壊できる。用語「微生物（ｍｉｃｒｏｂｅ）」および「微生物（ｍｉｃｒｏｏｒｇａｎｉｓｍ）」は、典型的には、主に、細菌、ウイルス、酵母、胞子、および真菌微生物を指す。使用において、抗微生物剤は、典型的には、希釈および分注される際に、任意選択で、例えば、水流を使用することが、様々な表面と接触され得る水性消毒剤または清浄剤組成物を形成し、微生物集団の一部の成長を防止するか、または殺傷をもたらす固体機能性材料中に形成される。微生物集団の３のｌｏｇ低下は、清浄剤組成物を生じる。抗微生物剤は、例えば、その安定性を向上させるために、被包され得る。
【０１１９】
一般的な抗微生物剤のいくつかの例は、ペンタクロロフェノール、オルトフェニルフェノール、クロロ−ｐ−ベンジルフェノール、ｐ−クロロ−ｍ−キシレノールのようなフェノール性抗微生物薬を含む。抗微生物剤を含有するハロゲンは、ナトリウムトリクロロイソシアヌレート、ナトリウムジクロロイソシアヌレート（無水または二水和物）、ヨード−ポリ（ビニルピロリジノン（ｖｉｎｙｌｐｙｒｏｌｉｄｉｎｏｎｅ）複合体、２−ブロモ−２−ニトロプロパン−１，３−ジオールのような臭素化合物、および塩化ベンザルコニウム、ジデシルジメチル塩化アンモニウム、二ヨウ化塩化コリン（ｃｈｏｌｉｎｅ  ｄｉｉｏｄｏｃｈｌｏｒｉｄｅ）、テトラメチルホスホニウムトリブロミドのような第四級抗微生物剤を含む。ヘキサヒドロ−１，３，５−トリス（２−ヒドロキシエチル）−ｓ−−トリアジン、ジメチルジチオカルバミン酸ナトリウムのようなジチオカルバミン酸塩のような他の抗微生物組成物、および様々な他の材料は、それらの抗微生物特性について当該分野で既知である。
【０１２０】
リン酸塩を含まず、かつ／または硫酸塩を含まず、かつ抗微生物剤も含む固体洗浄用組成物の実施形態では、抗微生物剤は、これらの要件を満たすように選択される。ＧＲＡＳ成分のみを含む固体洗浄用組成物の実施形態は、この節に記載の抗微生物剤を除外または省略できる。
【０１２１】
いくつかの実施形態では、洗浄用組成物は、組成物の最大約１０重量％の範囲、いくつかの実施形態では、最大約５重量％の範囲、またはいくつかの実施形態では、組成物の約０．０１〜約３重量％の範囲、もしくは０．０５〜１重量％の範囲で抗微生物構成成分を含む。
【０１２２】
汚れ放出ポリマー
好適な汚れ放出ポリマーは、メチルセルロース、ヒドロキシプロピルセルロース、およびカルボキシメチルセルロースのようなポリアルキレンオキシドまたは修飾セルロース、およびそれらの組み合わせへのビニルエステルおよび／またはアクリル酸エステルの両親媒性グラフトポリマーまたは共重合体を含むが、これらに限定されない。一実施形態では、組成物は、０．３〜１．５重量％の量で存在する汚れ放出ポリマーを含む。
【０１２３】
溶媒
様々な溶媒が、固体洗浄用組成物中に組み込まれ得る。好ましい溶媒は、エチレングリコール、２−ブトキシエタノール、ブチルジグリコール、アルキルグリコールエーテル、およびイソプロパノールを含むが、これらに限定されない。
【０１２４】
追加的な界面活性剤
固化界面活性剤ブレンドおよび／または固体洗浄用組成物は、任意選択の共界面活性剤を含み得る。好ましくは、共界面活性剤は、固体形態である。さらに、固化界面活性剤ブレンドおよび／または固体洗浄用組成物は、洗浄用組成物に組み込まれ得る。それらの洗浄用組成物は、洗剤組成物、器物洗浄用組成物、洗濯組成物、すすぎ助剤、および硬面洗浄用組成物を含み得るが、これらに限定されない。固化界面活性剤組成物、および／または固体洗浄用組成物に共界面活性剤として含まれ得る界面活性剤は、非イオン性界面活性剤、半極性非イオン性界面活性剤、陰イオン性界面活性剤、陽イオン性界面活性剤、両性界面活性剤、双性イオン性界面活性剤、およびそれらの混合物または組み合わせを含む。
【０１２５】
固化界面活性剤および／または固体洗浄用組成物に共界面活性剤を含める際に、共界面活性剤担体は、約２０重量％〜約９０重量％、より好ましくは約３０重量％〜約９０重量％、より好ましくは約４０重量％〜約８０重量％の量で存在する。
【０１２６】
非イオン性界面活性剤
有用な非イオン性界面活性剤は、一般的に、有機疎水基および有機親水基の存在により特徴付けられ、典型的には、有機脂肪族、アルキル芳香族、またはポリオキシアルキレン疎水性化合物の、一般的な方法がエチレンオキシドまたはその多水和生成物（ｐｏｌｙｈｙｄｒａｔｉｏｎ  ｐｒｏｄｕｃｔ）、ポリエチレングリコールである親水性アルカリ性オキシド部分との縮合によって製造される。実際には、反応性水素原子を有するヒドロキシル、カルボキシル、アミノ、またはアミド基を有する任意の疎水性化合物は、エチレンオキシド、またはその多水和付加物、またはプロピレンオキシドのようなアルコキシレンとのその混合物と縮合されて、非イオン性表面活性剤を形成できる。任意の特定の疎水性化合物と縮合する親水性ポリオキシアルキレン部分の長さは、親水性および疎水性特性の間の所望の程度のバランスを有する水分散性または水溶性化合物を生成するように、容易に調節され得る。有用な非イオン性界面活性剤は、以下を含む。
【０１２７】
（１）開始剤反応性水素化合物としてのプロピレングリコール、エチレングリコール、グリセロール、トリメチロールプロパン、およびエチレンジアミンに基づくブロックポリオキシプロピレン−ポリオキシエチレンポリマー化合物。開始剤の連続的なプロポキシル化およびエトキシル化から作製されるポリマー化合物の例は、ＢＡＳＦ  Ｃｏｒｐ．から市販されている。１つのクラスの化合物は、エチレンオキシドを、プロピレングリコールの２つのヒドロキシル基へのプロピレンオキシドの添加によって形成される疎水性塩基と縮合することによって形成される二官能性（２つの反応性水素）化合物である。分子のこの疎水性部分は、約１，０００〜約４，０００の重量がある。次いで、エチレンオキシドは、この疎水性物質（ｈｙｄｒｏｐｈｏｂｅ）を親水基の間に挟み込むように添加され、最終的な分子の約１０重量％〜約８０重量％を構成するように長さにより制御される。化合物の別のクラスは、プロピレンオキシドおよびエチレンオキシドのエチレンジアミンへの連続的な添加に由来する三官能性ブロック共重合体である。プロピレンオキシドハイドロタイプ（ｈｙｄｒｏｔｙｐｅ）の分子量は約５００〜約７，０００の範囲であり、親水性物質（ｈｙｄｒｏｐｈｉｌｅ）のエチレンオキシドは分子の約１０重量％〜約８０重量％を構成するように付加される。
【０１２８】
（２）直鎖もしくは分岐鎖構成の、または単一もしくは二重アルキル構成物質のアルキル鎖が約８〜約１８個の炭素原子を含有する１モルのアルキルフェノールの、約３〜約５０モルのエチレンオキシドとの縮合生成物。アルキル基は、例えば、ジイソブチレン、ジ−アミル、重合プロピレン、イソ−オクチル、ノニル、およびジ−ノニルにより表され得る。これらの界面活性剤は、アルキルフェノールのポリエチレン、ポリプロピレン、およびポリブチレンオキシド縮合物であり得る。この化学の商業的化合物の例は、Ｒｈｏｎｅ−Ｐｏｕｌｅｎｃ製のＩｇｅｐａｌ（登録商標）およびＵｎｉｏｎ  Ｃａｒｂｉｄｅ製のＴｒｉｔｏｎ（登録商標）の商品名で市販されている。
【０１２９】
（３）約６〜約２４個の炭素原子を有する、１モルの飽和または不飽和直鎖または分岐鎖アルコールの、約３〜約５０モルのエチレンオキシドとの縮合生成物。アルコール部分は、上で描写された炭素範囲内のアルコールの混合物からなり得るか、またはこの範囲内の特定の数の炭素原子を有するアルコールからなり得る。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、およびＶｉｓｔａ  Ｃｈｅｍｉｃａｌ  Ｃｏ．製のＡｌｆｏｎｉｃ（商標）の商品名で入手可能である。
【０１３０】
（４）約８〜約１８個の炭素原子を有する１モルの飽和または不飽和直鎖または分岐鎖カルボン酸の、約６〜約５０モルのエチレンオキシドとの縮合生成物。酸部分は、上記に定義された炭素原子範囲内の酸の混合物からなり得るか、またはこの範囲内の特定の数の炭素原子を有する酸からなり得る。この化学の商業的化合物の例は、ＢＡＳＦ製のＤｉｓｐｏｎｉｌ、およびＬｉｐｏ  Ｃｈｅｍｉｃａｌｓ，Ｉｎｃ．製のＬｉｐｏｐｅｇ（商標）の商品名で市販されている。
【０１３１】
一般的にポリエチレングリコールエステルと呼ばれるエトキシル化カルボン酸に加えて、グリセリド、グリセリン、および多価（サッカリドまたはソルビタン／ソルビトール）アルコールとの反応により形成される他のアルカン酸エステルは、特殊化された実施形態、特に間接的食品添加剤用途について本発明における用途を有する。これらのエステル部分は全て、それらの分子上に、これらの物質の親水性を制御するためにさらなるアシル化またはエチレンオキシド（アルコキシド）添加を経る１つ以上の反応性水素部位を有する。
【０１３２】
非イオン性低発泡性界面活性剤の例は、以下を含む。
（５）エチレンオキシドをエチレングリコールに添加して指定の分子量の親水性物質を提供し、次いで、プロピレンオキシドを添加して分子の外側（末端）に疎水性ブロックを得ることによって、修飾され、本質的に反転された（１）からの化合物。分子の疎水性部分は、最終的な分子の１０重量％〜約８０重量％を含む中心の親水性物質を有し、約１，０００〜約３，１００の重量がある。これらの逆Ｐｌｕｒｏｎｉｃｓ（商標）は、ＢＡＳＦ  Ｃｏｒｐｏｒａｔｉｏｎによって、Ｐｌｕｒｏｎｉｃ（商標）Ｒ界面活性剤の商品名で製造される。同様に、Ｔｅｔｒｏｎｉｃ（商標）Ｒ界面活性剤は、ＢＡＳＦ  Ｃｏｒｐｏｒａｔｉｏｎにより、エチレンオキシドおよびプロピレンオキシドのエチレンジアミンへの連続的な添加によって製造される。分子の疎水性部分は、最終的な分子の１０重量％〜８０重量％を含む中心の親水性物質を有し、約２，１００〜約６，７００の重量がある。
【０１３３】
（６）プロピレンオキシド、ブチレンオキシド、塩化ベンジルのような疎水性小分子、および１〜約５個の炭素原子を含有する短鎖脂肪酸、アルコールまたはアルキルハロゲン化物、およびそれらの混合物との反応による発泡を低下させるために、（多官能性部分の）末端ヒドロキシ基（複数可）を「キャッピング」または「端部ブロッキング」することにより修飾された、群（１）、（２）、（３）および（４）からの化合物。また、末端ヒドロキシ基を塩化物基に変換する塩化チオニルのような反応物質も、含まれる。末端ヒドロキシ基へのかかる修飾は、オールブロック（ａｌｌ−ｂｌｏｃｋ）、ブロック−ヘテリック（ｈｅｔｅｒｉｃ）、ヘテリック−ブロック、またはオールヘテリック非イオン性物質をもたらし得る。
【０１３４】
有効な低発泡性非イオン性物質の追加的な例は、以下を含む。
【０１３５】
（７）１９５９年９月８日にＢｒｏｗｎ  ｅｔ  ａｌ．に発行され、次式によって表される米国特許第２，９０３，４８６号のアルキルフェノキシポリエトキシアルカノールであって、
【化１０】
2021512212.tif 000014
式中、Ｒが８〜９個の炭素原子のアルキル基であり、Ａが３〜４個の炭素原子のアルキレン鎖であり、ｎが７〜１６の整数であり、ｍが１〜１０の整数である、アルキルフェノキシポリエトキシアルカノール。
【０１３６】
交互親水性オキシエチレン鎖および疎水性オキシプロピレン鎖を有する、１９６２年８月７日にＭａｒｔｉｎ  ｅｔ  ａｌ．に発行された米国特許第３，０４８，５４８号のポリアルキレングリコール縮合物であって、末端疎水性鎖の重量、中間疎水性単位の重量、および連結親水性単位の重量が各々縮合物の約３分の１を表す、ポリアルキレングリコール縮合物。
【０１３７】
一般式Ｚ［（ＯＲ）ｎＯＨ］ｚを有する、１９６８年５月７日にＬｉｓｓａｎｔ  ｅｔ  ａｌ．に発行された米国特許第３，３８２，１７８号に開示される消泡性非イオン性界面活性剤であって、Ｚがアルコキシル化可能な材料であり、Ｒが、エチレンおよびプロピレンであり得るアルキレンオキシドに由来するラジカルであり、ｎが、例えば、１０〜２，０００以上の整数であり、ｚが反応性オキシアルキル化可能な基の数によって決定される整数である、消泡性非イオン性界面活性剤。
【０１３８】
式Ｙ（Ｃ３Ｈ６Ｏ）ｎ（Ｃ２Ｈ４Ｏ）ｍＨに対応する、１９５４年５月４日にＪａｃｋｓｏｎ  ｅｔ  ａｌ．らに発行された米国特許第２，６７７，７００号に記載の共役ポリオキシアルキレン化合物であって、Ｙが約１〜６個の炭素原子および１個の反応性水素原子を有する有機化合物の残基であり、ｎがヒドロキシル価により決定される少なくとも約６．４の平均値を有し、ｍがオキシエチレン部分が分子の約１０重量％〜約９０重量％を構成するような値を有する、共役ポリオキシアルキレン化合物。
【０１３９】
式Ｙ［（Ｃ３Ｈ６Ｏｎ（Ｃ２Ｈ４Ｏ）ｍＨ］ｘを有する１９５４年４月６日にＬｕｎｄｓｔｅｄ  ｅｔ  ａｌ．に対して発行された米国特許第２，６７４，６１９号に記載される共役ポリオキシアルキレン化合物であって、Ｙが、約２〜６個の炭素原子を有し、かつｘが少なくとも約２の値を有するｘ個の反応性水素原子を含有する有機化合物の残基であり、ｎがポリオキシプロピレン疎水性塩基の分子量が少なくとも約９００であるような値を有し、ｍが分子のオキシエチレン含有量が約１０重量％〜約９０重量％であるような値を有する、共役ポリオキシアルキレン化合物。Ｙについての定義の範囲内に該当する化合物は、例えば、プロピレングリコール、グリセリン、ペンタエリスリトール、トリメチロールプロパン、エチレンジアミンなどを含む。オキシプロピレン鎖は、任意選択であるが、有益なことに、少量のエチレンオキシドを含有し、オキシエチレン鎖もまた、任意選択であるが、有益なことに、少量のプロピレンオキシドを含有する。
【０１４０】
本発明の組成物において有利に使用される追加的な共役ポリオキシアルキレン表面活性剤は、式Ｐ［（Ｃ３Ｈ６Ｏ）ｎ（Ｃ２Ｈ４Ｏ）ｍＨ］ｘに対応し、式中、Ｐは、約８〜１８個の炭素原子を有し、かつｘ個の反応性水素原子を含有する有機化合物の残基であり、ｘは１または２の値を有し、ｎはポリオキシエチレン部分の分子量が少なくとも約４４であるような値を有し、ｍは分子のオキシプロピレン含有量が約１０重量％〜約９０重量％であるような値を有する。いずれの場合においても、オキシプロピレン鎖は、任意選択で、しかし有利に、少量のエチレンオキシドを含有でき、オキシエチレン鎖は、任意選択で、しかし有利に、少量のプロピレンオキシドも含有できる。
【０１４１】
（８）本組成物における使用に好適なポリヒドロキシ脂肪酸アミド界面活性剤は、構造式Ｒ２ＣＯＮＲ１Ｚを有するものを含み、式中、Ｒ１はＨ、Ｃ１〜Ｃ４ヒドロカルビル、２−ヒドロキシエチル、２−ヒドロキシプロピル、エトキシ、プロポキシ基、またはそれらの混合であり、Ｒ２は直鎖であり得るＣ５〜Ｃ３１ヒドロカルビルであり、Ｚは鎖に直接接続された少なくとも３つのヒドロキシルを有する直鎖ヒドロカルビル鎖を有するポリヒドロキシヒドロカルビル、またはそのアルコキシル化誘導体（好ましくはエトキシル化もしくはプロポキシル化）である。Ｚは、グリシチル部分のような、還元アミン化反応において還元糖に由来し得る。
【０１４２】
（９）脂肪族アルコールの約０〜約２５モルのエチレンオキシドとのアルキルエトキシレート縮合生成物は、本組成物における使用に好適である。脂肪族アルコールのアルキル鎖は、直鎖または分岐鎖のいずれかであり得、第一級または第二級であり得、一般に６〜２２個の炭素原子を含有する。
【０１４３】
（１０）エトキシル化Ｃ６〜Ｃ１８脂肪アルコールならびにＣ６〜Ｃ１８混合エトキシル化およびプロポキシル化脂肪アルコールは、本組成物、特に水溶性のものにおける使用に好適な界面活性剤である。好適なエトキシル化脂肪アルコールは、３〜５０のエトキシル化度を有するＣ６〜Ｃ１８エトキシル化脂肪アルコールを含む。
【０１４４】
（１１）特に本組成物における使用に好適な非イオン性アルキル多糖類界面活性剤は、１９８６年１月２１日に発行された米国特許第４，５６５，６４７号、Ｌｌｅｎａｄｏに開示されるものを含む。これらの界面活性剤は、約６〜約３０個の炭素原子を含有する疎水基および多糖類、例えば、ポリグリコシド、約１．３〜約１０サッカリド単位を含有する親水基を含む。５または６個の炭素原子を含有する任意の還元サッカリドが、使用され得、例えば、グルコース、ガラクトース、およびガラクトシル部分は、グルコシル部分に置換され得る。（任意選択で、疎水基は、２位、３位、４位などで結合し、したがって、グルコシドまたはガラクトシドとは対照的にグルコースまたはガラクトースをもたらす。）サッカリド間結合は、例えば、追加的なサッカリド単位の１つの位置と、先行するサッカリド単位上の２位、３位、４位、および／または６位との間にあり得る。
【０１４５】
（１２）本組成物を使用するために好適な脂肪酸アミド界面活性剤は、式Ｒ６ＣＯＮ（Ｒ７）２を有するものを含み、式中、Ｒ６は７〜２１個の炭素原子を含有するアルキル基であり、各Ｒ７は、独立して、水素、Ｃ１〜Ｃ４アルキル、Ｃ１〜Ｃ４ヒドロキシアルキル、または−−（Ｃ２Ｈ４Ｏ）ｘＨであり、ｘは１〜３の範囲内である。
【０１４６】
（１３）非イオン性界面活性剤の有用なクラスは、アルコキシル化アミン、または最も具体的には、アルコールアルコキシル化／アミノ化／アルコキシル化界面活性剤として定義されるクラスを含む。これらの非イオン性界面活性剤は、少なくとも部分的に、一般式Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、およびＲ２０−−Ｎ（ＥＯ）ｔＨにより表され得、式中、Ｒ２０は、アルキル、アルケニルもしくは他の脂肪族基、または８〜２０個、好ましくは１２〜１４個の炭素原子のアルキル−アリール基であり、ＥＯはオキシエチレンであり、ＰＯはオキシプロピレンであり、ｓは１〜２０、好ましくは２〜５であり、ｔは１〜１０、好ましくは２〜５であり、ｕは１〜１０、好ましくは２〜５である。これらの化合物の範囲の他の変形例は、代替的な式Ｒ２０−−（ＰＯ）Ｖ−−Ｎ［（ＥＯ）ｗＨ］［（ＥＯ）ｚＨ］により表され得、式中、Ｒ２０は上で定義されたとおでりあり、ｖは１〜２０（例えば、１、２、３、または４（好ましくは２））であり、ｗおよびｚは独立して１〜１０、好ましくは２〜５である。これらの化合物は、商業的には、非イオン性界面活性剤としてＨｕｎｔｓｍａｎ  Ｃｈｅｍｉｃａｌｓにより販売される一連の製品により表される。このクラスの好ましい化学薬品は、Ｓｕｒｆｏｎｉｃ（商標）ＰＥＡ  ２５アミンアルコキシレートを含む。組成物について好ましい非イオン性界面活性剤は、アルコールアルコキシレート、ＥＯ／ＰＯブロック共重合体、アルキルフェノールアルコキシレート等を含む。
【０１４７】
半極性非イオン性界面活性剤
半極性型の非イオン性表面活性剤は、組成物において有用な別のクラスの非イオン性界面活性剤である。一般に、半極性非イオン性物質は、高発泡物質および泡安定剤であり、これはＣＩＰシステムにおけるそれらの適用を限定できる。しかしながら、高発泡洗浄方法のために設計された本発明の組成上の実施形態では、半極性非イオン性物質は、即時的な有用性を有するであろう。半極性非イオン性界面活性剤は、アミンオキシド、ホスフィンオキシド、スルホキシドおよびそれらのアルコキシル化誘導体を含む。
【０１４８】
アミンオキシドは、次の一般式に対応する第三級アミンオキシドである：
【０１４９】
【化１１】
2021512212.tif 000015
【０１５０】
式中、矢印は半極性結合の従来の表示であり、Ｒ１、Ｒ２、およびＲ３は、脂肪族、芳香族、複素環式、脂環式、またはそれらの組み合わせであり得る。一般に、洗剤関連のアミンオキシドについては、Ｒ１は約８〜約２４個の炭素原子のアルキルラジカルであり、Ｒ２およびＲ３は、１〜３個の炭素原子のアルキルもしくはヒドロキシアルキル、またはそれらの混合物であり、Ｒ２およびＲ３は、例えば、酸素または窒素原子を通じて互いに結合されて環構造を形成することができ、Ｒ４は、アルカリ、または２〜３個の炭素原子を含有するヒドロキシアルキレン基であり、ｎは０〜約２０の範囲である。
【０１５１】
有用な水溶性アミンオキシド界面活性剤は、ココナッツまたはタロウ（ｔａｌｌｏｗ）アルキルジ−（低級アルキル）アミンオキシドから選択され、それらの具体例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドである。
【０１５２】
有用な半極性非イオン性界面活性剤は、以下の構造を有する水溶性ホスフィンオキシドも含み、
【化１２】
2021512212.tif 000016
式中、矢印は、半極性結合の従来の表示であり、Ｒ１は、１０〜約２４個の炭素原子の鎖長の範囲のアルキル、アルケニル、またはヒドロキシアルキル部分であり、Ｒ２およびＲ３は、各々、１〜３個の炭素原子を含有するアルキルまたはヒドロキシアルキル基から別々に選択されるアルキル部分である。
【０１５３】
有用なホスフィンオキシドの例は、ジメチルデシルホスフィンオキシド、ジメチルテトラデシルホスフィンオキシド、メチルエチルテトラデシルホスホンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、およびビス（ヒドロキシメチル）テトラデシルホスフィンオキシドを含む。
【０１５４】
本明細書において有用な半極性非イオン性界面活性剤は、次の構造を有する水溶性スルホキシド化合物も含み、
【化１３】
2021512212.tif 000017
式中、矢印は、半極性結合の従来の表示であり、Ｒ１は、約８〜約２８個の炭素原子、０〜約５個のエーテル結合、および０〜約２個のヒドロキシル置換基のアルキルまたはヒドロキシアルキル部分であり、Ｒ２は、１〜３個の炭素原子を有するアルキルおよびヒドロキシアルキル基からなるアルキル部分である。
【０１５５】
これらのスルホキシドの有用な例は、ドデシルメチルスルホキシド、３−ヒドロキシトリデシルメチルスルホキシド、３−メトキシトリデシルメチルスルホキシド、および３−ヒドロキシ−４−ドデコキシブチルメチルスルホキシドを含む。
【０１５６】
本組成物のための半極性非イオン性界面活性剤は、ラウリルジメチルアミンオキシド、ミリスチルジメチルアミンオキシド、セチルジメチルアミンオキシド、それらの組み合わせなどのようなジメチルアミンオキシドを含む。有用な水溶性アミンオキシド界面活性剤は、オクチル、デシル、ドデシル、イソドデシル、ココナッツ、またはタロウアルキルジ−（低級アルキル）アミンオキシドから選択され、その具体例は、オクチルジメチルアミンオキシド、ノニルジメチルアミンオキシド、デシルジメチルアミンオキシド、ウンデシルジメチルアミンオキシド、ドデシルジメチルアミンオキシド、イソドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ−（２−ヒドロキシエチル）アミンオキシドである。
【０１５７】
組成物を伴う使用に好適な非イオン性界面活性剤は、アルコキシル化界面活性剤を含む。好適なアルコキシル化界面活性剤は、ＥＯ／ＰＯ共重合体、封止されたＥＯ／ＰＯ共重合体、アルコールアルコキシレート、封止されたアルコールアルコキシレート、これらの混合物などを含む。溶媒としての使用に好適なアルコキシル化界面活性剤は、Ｐｌｕｒｏｎｉｃおよび逆Ｐｌｕｒｏｎｉｃ界面活性剤のようなＥＯ／ＰＯブロック共重合体、Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）のようなアルコールアルコキシレート、Ｐｌｕｒａｆａｃ  ＬＦ２２１およびＴｅｇｏｔｅｎ  ＥＣ１１のような封止されたアルコールアルコキシレート、それらの混合物などを含む。
【０１５８】
陰イオン性界面活性剤
また、疎水性物質の電荷が負であるため陰イオン性物質として分類される表面活性物質、またはｐＨが中性以上に上昇しない限り分子の疎水性部分が電荷を担持しない界面活性剤（例えば、カルボン酸）も、組成物において有用である。カルボキシレート、スルホン酸塩、硫酸塩、およびリン酸塩は、陰イオン性界面活性剤に見出される極性（親水性）可溶化基である。これらの極性基に関連した陽イオン（対イオン）のうち、ナトリウム、リチウム、およびカリウムは、水溶性を付与し、アンモニウムおよび置換アンモニウムイオンは、水溶性および油溶性の両方を提供し、カルシウム、バリウム、およびマグネシウムは、油溶性を促進する。当業者が理解するように、陰イオン性物質は、優れた洗浄性界面活性剤であり、したがって強力（ｈｅａｖｙ  ｄｕｔｙ）洗剤組成物への好ましい添加物である。
【０１５９】
本組成物における使用に適した陰イオン性硫酸塩界面活性剤は、アルキルエーテル硫酸塩、アルキル硫酸塩、直鎖および分岐状鎖第一級および第二級アルキル硫酸塩、アルキルエトキシ硫酸塩、脂肪オレイルグリセロール硫酸塩、アルキルフェノールエチレンオキシドエーテル硫酸塩、Ｃ５〜Ｃ１７アシル−Ｎ−（Ｃ１〜Ｃ４アルキル）および−Ｎ−（Ｃ１〜Ｃ２ヒドロキシアルキル）グルカミン硫酸塩、ならびにアルキルポリグルコシドの硫酸塩のようなアルキル多糖類の硫酸塩などを含む。また、エチレンオキシドおよびノニルフェノールの硫酸塩または縮合生成物（通常１分子あたり１〜６個のオキシエチレン基を有する）のような、アルキル硫酸塩、アルキルポリ（エチレンオキシ）エーテル硫酸塩、および芳香族ポリ（エチレンオキシ）硫酸塩も、含まれる。
【０１６０】
本組成物における使用に好適な陰イオン性スルホン酸塩界面活性剤は、アルキルスルホン酸塩、直鎖状および分岐状第一級および第二級アルキルスルホン酸塩、ならびに置換基を有するかまたは有しない芳香族スルホン酸塩も含む。
【０１６１】
本組成物における使用に好適な陰イオン性カルボキシレート界面活性剤は、アルカン酸（およびアルカノエート）のようなカルボン酸（および塩）、エステルカルボン酸（例えば、アルキルコハク酸塩）、エーテルカルボン酸、スルホン化オレイン酸のようなスルホン化脂肪酸などを含む。かかるカルボキシレートは、アルキルエトキシカルボキシレート、アルキルアリールエトキシカルボキシレート、アルキルポリエトキシポリカルボキシレート界面活性剤、および石鹸（例えば、アルキルカルボキシル）を含む。本組成物において有用な第二級カルボキシレートは、第二級炭素に接続されたカルボキシル単位を含有するものを含む。第二級炭素は、例えば、ｐ−オクチル安息香酸におけるように、またはアルキル置換シクロヘキシルカルボキシレートにおけるように、環構造にあり得る。第二級カルボキシレート界面活性剤は、典型的には、エーテル結合、エステル結合、およびヒドロキシル基を含有しない。さらに、それらは、典型的には、頭部基（ｈｅａｄ  ｇｒｏｕｐ）（両親媒性部分）中に窒素原子を欠く。好適な第二級石鹸界面活性剤は、典型的には、１１〜１３個の総炭素原子を含有するが、より多くの炭素原子（例えば、最大１６個）が存在し得る。好適なカルボキシレートはまた、例えば、アシルグルタメート、アシルペプチド、サルコシネート（例えば、Ｎ−アシルサルコシネート）、タウレート（例えば、Ｎ−アシルタウレートおよびメチルタウリドの脂肪酸アミド）などのようなアシルアミノ酸（および塩）を含む。
【０１６２】
好適な陰イオン性界面活性剤は、以下の式のアルキルまたはアルキルアリールエトキシカルボキシレートを含み、
Ｒ−Ｏ−（ＣＨ２ＣＨ２Ｏ）ｎ（ＣＨ２）ｍ−ＣＯ２Ｘ  （３）
式中、Ｒは、Ｃ８〜Ｃ２２アルキル基であるか、または
【化１４】
2021512212.tif 000018
であり、Ｒ１は、Ｃ４〜Ｃ１６アルキル基であり、ｎは１〜２０の整数であり、ｍは１〜３の整数であり、Ｘは、水素、ナトリウム、カリウム、リチウム、アンモニウムのような対イオン、またはモノエタノールアミン、ジエタノールアミン、もしくはトリエタノールアミンのようなアミン塩である。いくつかの実施形態では、ｎは４〜１０の整数であり、ｍは１である。いくつかの実施形態では、Ｒは、Ｃ８〜Ｃ１６アルキル基である。いくつかの実施形態では、Ｒは、Ｃ１２〜Ｃ１４アルキル基であり、ｎは４であり、ｍは１である。
【０１６３】
他の実施形態では、Ｒは
【化１５】
2021512212.tif 000019
であり、Ｒ１はＣ６〜Ｃ１２アルキル基である。またさらに他の実施形態では、Ｒ１は、Ｃ９アルキル基であり、ｎは１０であり、ｍは１である。
【０１６４】
かかるアルキルおよびアルキルアリールエトキシカルボキシレートは、市販されている。これらのエトキシカルボキシレートは、典型的には、酸の形態として入手可能であり、それらは、陰イオン性または塩の形態に容易に変換され得る。市販のカルボキシレートは、Ｎｅｏｄｏｘ  ２３−４、Ｃ１２〜１３アルキルポリエトキシ（４）カルボン酸（Ｓｈｅｌｌ  Ｃｈｅｍｉｃａｌ）、およびＥｍｃｏｌ  ＣＮＰ−１１０、Ｃ９アルキルアリールポリエトキシ（１０）カルボン酸（Ｗｉｔｃｏ  Ｃｈｅｍｉｃａｌ）を含む。カルボキシレートはまた、Ｃｌａｒｉａｎｔから入手可能であり、例えば、製品Ｓａｎｄｏｐａｎ（登録商標）ＤＴＣ、Ｃ１３アルキルポリエトキシ（７）カルボン酸である。
【０１６５】
陽イオン性界面活性剤
表面活性物質は、分子のヒドロトロープ部分上の電荷が正である場合、陽イオン性として分類される。ヒドロトロープがｐＨが中性近くまたはそれ以下まで下げられない限り電荷を帯びないが、その場合陽イオン性（例えば、アルキルアミン）である界面活性剤も、この群に含まれる。理論的には、陽イオン性界面活性剤は、「オニウム」構造ＲｎＸ＋Ｙ−−を含有する要素の任意の組み合わせから合成され得、リン（ホスホニウム）および硫黄（スルホニウム）のような窒素（アンモニウム）以外の化合物を含み得る。実際には、陽イオン性界面活性剤分野は、恐らく、窒素性陽イオン性物質への合成経路が、単純かつ容易であり、高収率の生成物を生じるため、窒素含有化合物によって支配されており、このことが、それらをより安価にすることができる。
【０１６６】
陽イオン性界面活性剤は、好ましくは、少なくとも１つの長炭素鎖疎水基および少なくとも１つの正に荷電した窒素を含有する化合物を含み、より好ましくはこれを指す。長炭素鎖基は、単純な置換によって窒素原子に直接結合され得るか、またはより好ましくは、所謂中断アルキルアミンおよびアミドアミン中の架橋官能基（複数可）によって間接的に結合され得る。かかる官能基は、分子を、より親水性および／もしくはより水分散性にし、共界面活性剤混合物によってより容易に水に溶解されるようにし、ならびに／または水溶性にすることができる。増加した水溶性のために、追加的な第一級、第二級、もしくは第三級アミノ基が導入され得るか、またはアミノ窒素が低分子量アルキル基を用いて四級化され得る。さらに、窒素は、変化する不飽和度の分岐鎖もしくは直鎖部分の、または飽和もしくは不飽和複素環式環の一部であり得る。加えて、陽イオン性界面活性剤は、２個以上の陽イオン性窒素原子を有する複雑な結合を含有できる。
【０１６７】
アミンオキシド、両性物質および双性イオンとして分類される界面活性剤化合物は、それ自体が典型的には中性近傍から酸性ｐＨの溶液中で陽イオン性であり、界面活性剤分類と重複できる。ポリオキシエチル化陽イオン性界面活性剤は、一般に、アルカリ性溶液中で非イオン性界面活性剤のように挙動し、酸性溶液中で陽イオン性界面活性剤のように挙動する。
【０１６８】
最も単純な陽イオン性アミンであるアミン塩および第四級アンモニウム化合物は、したがって、例えば、次の図式で描かれることができ、
【化１６】
2021512212.tif 000020
式中、Ｒはアルキル鎖を表し、Ｒ’、Ｒ’’、およびＲ’’’はアルキル鎖もしくはアリール基のいずれかまたは水素であり得、Ｘは陰イオンを表す。アミン塩および第四級アンモニウム化合物は、それらの高い水溶性の程度のため、本発明における実践的な使用に好ましい。
【０１６９】
大量の商業的陽イオン性界面活性剤の大部分は、当業者に既知の４つの主要なクラスおよび追加的な部分群に細分され得、“Ｓｕｒｆａｃｔａｎｔ  Ｅｎｃｙｃｌｏｐｅｄｉａ”，Ｃｏｓｍｅｔｉｃｓ  ＆  Ｔｏｉｌｅｔｒｉｅｓ，Ｖｏｌ．１０４（２）８６−９６（１９８９）に記載される。第１のクラスは、アルキルアミンおよびそれらの塩を含む。第２のクラスは、アルキルイミダゾリンを含む。第３のクラスは、エトキシル化アミンを含む。第４のクラスは、アルキルベンジルジメチルアンモニウム塩、アルキルベンゼン塩、複素環式アンモニウム塩、テトラアルキルアンモニウム塩などのような第四級物を含む。陽イオン性界面活性剤は、本組成物において有益であり得る多様な特性を有することが知られている。これらの望ましい特性は、中性ｐＨ以下の組成物における洗浄力、抗微生物効能、他の薬剤と連携した増粘化またはゲル化などを含み得る。
【０１７０】
組成物において有用な陽イオン性界面活性剤は、式Ｒ１ｍＲ２ｘＹＬＺを有するものを含み、式中、各Ｒ１は、任意選択で最大３個のフェニルまたはヒドロキシ基で置換され、かつ以下の構造のうち最大４つによって中断される直鎖または分岐状アルキルまたはアルケニル基を含有する有機基であるか、
【化１７】
2021512212.tif 000021
またはこれらの構造の異性体もしくは混合物であり、約８〜２２個の炭素原子を含有する。Ｒ１基は、追加的に最大１２個のエトキシ基を含有できる。ｍは、１〜３の数字である。好ましくは、分子中の１個以下のＲ１基は、ｍが２である際に１６個以上の炭素原子を有するか、またはｍが３である際に１２個超の炭素原子を有する。各Ｒ２は、１〜４個の炭素原子またはベンジル基を含有するアルキルまたはヒドロキシアルキル基であり、かつ分子中の１個以下のＲ２は、ベンジルであり、ｘは、０〜１１、好ましくは０〜６の数である。Ｙ基上の任意の炭素原子位置の残りは、水素によって充填される。
【０１７１】
Ｙは、
【化１８】
2021512212.tif 000022
またはそれらの混合物を含むがこれらに限定されない群であり得る。好ましくは、Ｌは、１または２であり、かつＹ基は、Ｌが２である際に、１〜約２２個の炭素原子と２個の遊離炭素単結合とを有するＲ１およびＲ２類似体（好ましくはアルキレンまたはアルケニレン）から選択される部分によって分離されている。Ｚは、ハロゲン化物陰イオン、硫酸塩陰イオン、メチル硫酸塩陰イオン、水酸化物陰イオン、または硝酸陰イオンのような水溶性陰イオンであり、特に塩化物陰イオン、臭化物陰イオン、ヨウ化物陰イオン、硫酸塩陰イオン、またはメチル硫酸塩陰イオンが、陽イオン性構成成分の電気的中性を付与する数において好ましい。
【０１７２】
両性界面活性剤
両性または両性電解質界面活性剤は、塩基性および酸性親水基の両方ならびに有機疎水基を含有する。これらのイオン性実体は、他の型の界面活性剤について本明細書に記載される陰イオン性または陽イオン性基のいずれかであり得る。塩基性窒素および酸性カルボキシレート基は、塩基性および酸性親水基として採用される典型的な官能基である。いくつかの界面活性剤では、スルホン酸塩、硫酸塩、ホスホネート、またはリン酸塩は、負電荷を提供する。
【０１７３】
両性界面活性剤は、脂肪族第二級および第三級アミンの誘導体として広く記載され得、脂肪族ラジカルは、直鎖または分岐鎖であり得、脂肪族置換基のうちの１個は、約８〜１８個の炭素原子を含有し、１個は、陰イオン性水可溶化基、例えば、カルボキシ、スルホ、スルファト、ホスファト、またはホスホノを含む。両性界面活性剤は、当業者に既知であり、本明細書にその全体が参照により組み込まれる“Ｓｕｒｆａｃｔａｎｔ  Ｅｎｃｙｃｌｏｐｅｄｉａ”Ｃｏｓｍｅｔｉｃｓ  ＆  Ｔｏｉｌｅｔｒｉｅｓ，Ｖｏｌ．１０４（２）６９−７１（１９８９）に記載される、２つの主要なクラスに細分される。第１のクラスは、アシル／ジアルキルエチレンジアミン誘導体（例えば、２−アルキルヒドロキシエチルイミダゾリン誘導体）およびそれらの塩を含む。第２のクラスは、Ｎ−アルキルアミノ酸およびそれらの塩を含む。いくつかの両性界面活性剤は、両方のクラスに適合すると想定され得る。
【０１７４】
両性界面活性剤は、当業者に既知の方法によって合成され得る。例えば、２−アルキルヒドロキシエチルイミダゾリンは、長鎖カルボン酸（または誘導体）のジアルキルエチレンジアミンとの縮合および閉環によって合成される。商業的両性界面活性剤は、その後の加水分解およびアルキル化によるイミダゾリン環の開環によって、例えば、クロロ酢酸または酢酸エチルを用いて誘導体化される。アルキル化中に、１または２つのカルボキシ−アルキル基は、反応して第三級アミンおよびエーテル結合を形成し、異なるアルキル化剤が異なる第三級アミンを生成する。
【０１７５】
組成物において使用され得る長鎖イミダゾール誘導体は、一般に、一般式を有し、
【化１９】
2021512212.tif 000023
【化２０】
2021512212.tif 000024
式中、Ｒは約８〜約１８個の炭素原子を含有する非環式疎水基であり、Ｍは陰イオンの電荷を中和するための陽イオン、一般にナトリウムである。本組成物に用いることができる商業的に有名なイミダゾリン由来両性化合物は、例えば、ココアンホプロピオネート、ココアンホカルボキシ−プロピオネート、ココアンホグリシネート、ココアンホカルボキシ−グリシネート、ココアンホプロピル−スルホン酸塩、およびココアンホカルボキシ−プロピオン酸を含む。アンホカルボン酸は、脂肪イミダゾリンから製造され得、アンホジカルボン酸のジカルボン酸官能性は、二酢酸および／またはジプロピオン酸である。
【０１７６】
本明細書において上で頻繁に記載されるカルボキシメチル化化合物（グリシネート）は、ベタインと呼ばれる。ベタインは、本明細書において以下で双性イオン性界面活性剤と題された節で記載される特別なクラスの両性化合物である。
【０１７７】
長鎖Ｎ−アルキルアミノ酸は、反応ＲＮＨ２によって容易に調製され、Ｒは、Ｃ８〜Ｃ１８直鎖または分岐鎖アルキル、ハロゲン化カルボン酸を有する脂肪アミンである。アミノ酸の第一級アミノ基のアルキル化は、第二級および第三級アミンをもたらす。アルキル置換基は、２つ以上の反応性窒素中心を提供する追加的なアミノ基を有することができる。最も商業的なＮ−アルキルアミン酸は、ベータ−アラニンまたはベータ−Ｎ（２−カルボキシエチル）アラニンのアルキル誘導体である。本発明において用途を有する商業的なＮ−アルキルアミノ酸両性電解質の例は、アルキルベータ−アミノジプロピオネート、ＲＮ（Ｃ２Ｈ４ＣＯＯＭ）２およびＲＮＨＣ２Ｈ４ＣＯＯＭを含む。実施形態では、Ｒは約８〜約１８個の炭素原子を含有する非環式疎水基であり得、Ｍは陰イオンの電荷を中和するための陽イオンである。
【０１７８】
好適な両性界面活性剤は、ココナッツ油またはココナッツ脂肪酸のようなココナッツ製品から誘導されるものを含む。追加的な好適なココナッツ由来界面活性剤は、それらの構造の一部として、エチレンジアミン部分、アルカノールアミド部分、アミノ酸部分、例えば、グリシン、またはそれらの組み合わせ、および約８〜１８（例えば１２）個の炭素原子の脂肪族置換基を含む。かかる界面活性剤はまた、アルキルアンホジカルボン酸とみなされ得る。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨとして表される化学構造を含み得る。二ナトリウムココアンホジプロピオネートは、１つの好適な両性界面活性剤であり、Ｓｏｌｖａｙ  Ｎｏｖｅｃａｒｅ，Ｐｒｉｎｃｅｔｏｎ，Ｎ．Ｊ．からのＭｉｒａｎｏｌ（商標）の商品名で市販されている。化学名二ナトリウムココアンホジアセテートを有する別の好適なココナッツ由来の両性界面活性剤もまた、Ｓｏｌｖａｙ  Ｎｏｖｅｃａｒｅ，Ｐｒｉｎｃｅｔｏｎ，Ｎ．ＪからのＭｉｒａｔａｉｎｅ（商標）の商品名で販売されている。
【０１７９】
両性クラスおよびこれらの界面活性剤の種の典型的なリストは、１９７５年１２月３０日にＬａｕｇｈｌｉｎ  ａｎｄ  Ｈｅｕｒｉｎｇに発行された米国特許第３，９２９，６７８号に与えられる。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に与えられる。これらの参照文献の各々は、本明細書に参照によりその全体が組み込まれる。
【０１８０】
双性イオン性界面活性剤
双性イオン性界面活性剤は、両性界面活性剤のサブセットと考えられ得、陰イオン電荷を含み得る。双性イオン性界面活性剤は、第二級および第三級アミンの誘導体、複素環式第二級および第三級アミンの誘導体、または第四級アンモニウム、第四級ホスホニウム、または第三級スルホニウム化合物の誘導体として広く記載され得る。典型的には、双性イオン性界面活性剤は、正荷電第四級アンモニウム、またはいくつかの場合では、スルホニウムもしくはホスホニウムイオン、負荷電カルボキシル基、およびアルキル基を含む。双性イオン性物質は、一般に、分子の等電領域においてほぼ同程度にイオン化し、正−負電荷中心の間に強い「内部塩」誘引を生じ得る陽イオン性基および陰イオン性基を含有する。かかる双性イオン性合成界面活性剤の例は、脂肪族ラジカルが直鎖または分岐状であり得る、脂肪族第四級アンモニウム、ホスホニウム、およびスルホニウム化合物の誘導体を含み、脂肪族置換基のうちの１個が、８〜１８個の炭素原子を含み、１個が陰イオン性水可溶化基、例えば、カルボキシ、スルホン酸塩、硫酸塩、リン酸塩、またはホスホネートを含有する。
【０１８１】
ベタインおよびスルタイン界面活性剤は、本明細書における使用のための例示的な双性イオン性界面活性剤である。これらの化合物の一般式は、次のとおりであり、
【化２１】
2021512212.tif 000025
式中、Ｒ１は、０〜１０個のエチレンオキシド部分および０〜１個のグリセリル部分を有する、８〜１８個の炭素原子のアルキル、アルケニル、またはヒドロキシアルキルラジカルを含有し、Ｙは、窒素原子、リン原子、および硫黄原子からなる群から選択され、Ｒ２は、１〜３個の炭素原子を含有するアルキル基またはモノヒドロキシアルキル基であり、ｘが、Ｙが硫黄原子である時に１であり、窒素原子またはリン原子である時に２であり、Ｒ３がアルキレンまたはヒドロキシアルキレンまたは１〜４個の炭素原子のヒドロキシアルキレンであり、Ｚが、カルボキシレート基、スルホン酸基、硫酸基、ホスホン酸基、およびリン酸基からなる群から選択されるラジカルである。
【０１８２】
上に列挙される構造を有する双性イオン性界面活性剤の例は、４−［Ｎ，Ｎ−ジ（２−ヒドロキシエチル）−Ｎ−オクタデシルアンモニオ］−ブタン−１−カルボキシレート、５−［Ｓ−３−ヒドロキシプロピル−Ｓ−ヘキサデシルスルホニオ］−３−ヒドロキシペンタン−１−硫酸塩、３−［Ｐ，Ｐ−ジエチル−Ｐ−３，６，９−トリオキサテトラコサンホスホニオ］−２−ヒドロキシプロパン−１−リン酸塩、３−［Ｎ，Ｎ−ジプロピル−Ｎ−３−ドデコキシ−２−ヒドロキシプロピル−アンモニオ］−プロパン−１−ホスホネート、３−（Ｎ，Ｎ−ジメチル−Ｎ−ヘキサデシルアンモニオ）−プロパン−１−スルホン酸塩、３−（Ｎ，Ｎ−ジメチル−Ｎ−ヘキサデシルアンモニオ）−２−ヒドロキシ−プロパン−１−スルホン酸塩、４−［Ｎ，Ｎ−ジ（２（２−ヒドロキシエチル）−Ｎ（２−ヒドロキシドデシル）アンモニオ］−ブタン−１−カルボキシレート、３−［Ｓ−エチル−Ｓ−（３−ドデコキシ−２−ヒドロキシプロピル）スルホニオ］−プロパン−１−リン酸塩、３−［Ｐ，Ｐ−ジメチル−Ｐ−ドデシルホスホニオ］−プロパン−１−ホスホネート、およびＳ［Ｎ，Ｎ−ジ（３−ヒドロキシプロピル）−Ｎ−ヘキサデシルアンモニオ］−２−ヒドロキシ−ペンタン−１−硫酸塩を含む。該洗剤界面活性剤に含有されるアルキル基は、直鎖または分岐状であり、飽和または不飽和であり得る。
【０１８３】
本組成物における使用に適した双性イオン性界面活性剤は、次の一般構造のベタインを含み、
【化２２】
2021512212.tif 000026
【０１８４】
これらの界面活性剤ベタインは、典型的には、極度のｐＨで強い陽イオン性もしくは陰イオン性の特徴を呈さないか、またはこれらの等電範囲で低下した水溶性を示さない。「外部の」第四級アンモニウム塩とは異なり、ベタインは陰イオン性物質と相溶性がある。好適なベタインの例は、ココナッツアシルアミドプロピルジメチルベタイン、ヘキサデシルジメチルベタイン、Ｃ１２〜１４アシルアミドプロピルベタイン、Ｃ８〜１４アシルアミドヘキシルジエチルベタイン、４−Ｃ１４〜１６アシルメチルアミドジエチルアンモニオ−１−カルボキシブタン、Ｃ１６〜１８アシルアミドジメチルベタイン、Ｃ１２〜１６アシルアミドペンタンジエチルベタイン、およびＣ１２〜１６アシルメチルアミドジメチルベタインを含む。
【０１８５】
組成物において有用であり得るスルタインは、式（Ｒ（Ｒ１）２Ｎ＋Ｒ２ＳＯ３−を有するこれらの化合物を含み、式中、ＲはＣ６〜Ｃ１８ヒドロカルビル基であり、各Ｒ１は、典型的には独立して、Ｃ１〜Ｃ３アルキル、例えば、メチルであり、Ｒ２は、Ｃ１〜Ｃ６ヒドロカルビル基、例えば、Ｃ１〜Ｃ３アルキレン基またはヒドロキシアルキレン基である。
【０１８６】
双性イオン性クラスおよびこれらの界面活性剤の種の典型的なリストは、１９７５年１２月３０日にＬａｕｇｈｌｉｎ  ａｎｄ  Ｈｅｕｒｉｎｇに発行された米国特許第３，９２９，６７８号に与えられる。さらなる例は、“Ｓｕｒｆａｃｅ  Ａｃｔｉｖｅ  Ａｇｅｎｔｓ  ａｎｄ  Ｄｅｔｅｒｇｅｎｔｓ”（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）に与えられる。これらの参照文献の各々は、本明細書にその全体が組み込まれる。
【０１８７】
固化界面活性剤ブレンドを形成する方法：
本開示は、洗浄用組成物を形成する方法も提供する。一実施形態では、この方法は、上記のように、（１）および（３）ならびに任意選択で、（４）および／または（５）を組み合わせる工程を含む。これにより、（１）〜（４）の全ての組み合わせおよび添加順序の全ての組み合わせが、明確に企図される。
【０１８８】
別の実施形態では、方法は、１２〜１４個の炭素原子を有するアルコール、アルキレンオキシド、および硫酸化構成成分を提供する工程を含む。前述の構成成分の各々は、任意の順序で組み合わされ得る。アルコールは、１２、１３、または１４個の炭素原子を有する当該技術分野で既知の任意のものであり得る。２つ以上のアルコールまたはアルコールの混合物が、利用され得る。
【０１８９】
様々な実施形態では、アルコールは、８、１０、１２、１４、および／または１６個の炭素原子を有する５、１０、１５、２０、２５、３０、３５、４０、４５、５０、５５、６０、６５、７０、７５、８０、８５、９０、または９５重量パーセントのアルコールとしてさらに定義され、各々±５重量パーセントである。言い換えれば、Ｃ８〜Ｃ１６アルコールの任意の重量の組み合わせが、利用され得る。様々な実施形態では、アルコールは、Ｃ１２〜Ｃ１４アルコールの組み合わせである。この方法は、１２個未満または１４個を超の炭素原子を有するアルコールを含まないか、またはその使用を除外できる。アルコール（複数可）は直鎖状または分岐状であり得、８、９、１０、１１、１２、１３、１４、１５、または１６個の炭素原子を有するアルコールの全ての異性体は使用のために本明細書によって明確に企図される。アルキレンオキシドは、上記のとおりであり得、例えば、エチレンオキシド、プロピレンオキシド、またはそれらの組み合わせであり得る。方法は、プロピレンオキシドの使用を除外できる。一実施形態では、アルキレンオキシドはエチレンオキシドであり、アルコキシル化する該工程は、１モルのアルコールあたり１〜３モルのエチレンオキシドを用いるエトキシル化としてさらに定義される。硫酸化構成成分は、ＳＯ３または任意の硫酸化試薬を含むがこれらに限定されない任意の既知のものであり得る。
【０１９０】
この方法は、アルコールをアルコキシル化して、エトキシル化アルコールと未反応アルコールの組み合わせを形成する工程も含む。アルコキシル化する工程は、当該技術分野で既知の任意の方法を使用して完了され得る。典型的には、アルコキシル化は、１００℃〜１６０℃の温度でおよび２０ｐｓｉｇ〜１００ｐｓｉｇの圧力で完了される。
【０１９１】
方法は、上記のように、エトキシル化アルコールおよび未反応アルコールを硫酸化して、（１）および（２）ならびに任意選択で（３）および／または（４）を形成する工程をさらに含む。硫酸化する工程は、当該技術分野で既知の任意の方法を使用して完了され得る。
【０１９２】
追加的な構成成分：
追加的な実施形態では、本開示は、固体のＣ１２／Ｃ１４脂肪アルコール＋０．６ＥＯ−硫酸（Ｎａ）界面活性剤を形成する方法を提供する。例えば、アルコールエトキシレートは、０．６ｍｏｌのＥＯを塩基触媒Ｃ１２〜１４脂肪アルコールに添加し、次いで硫酸化されることにより製造され得る。脂肪アルコールエトキシレートのスルホン化は、最新の流下式フィルムスルホン化反応器で、４０°Ｃの温度で、１．０〜１．０５のＳＯ３／アルコールエトキシレートのモル比で、５ｖｏｌ％のＳＯ３を含有する乾燥空気／ＳＯ３と共に行われ得る。生成物は、苛性ソーダ（５０％）と水との混合物で脱気した後に中和され、６５°Ｃの温度でおよそ３０％の活性の濃度を得るように計算され、生成物の加水分解を避けるためにｐＨ値を１０〜１２の範囲に保つ。生じた混合物は、固体界面活性剤を得るために異なる手順で乾燥され得る。例えば、生成物は、水の含有量が１％未満で生成物を得るために、最新の凍結乾燥により乾燥され得る。
【０１９３】
本開示は、界面活性剤の固体ブレンドを形成する方法も提供する。例えば、固体および液体成分は、均質になるまで一緒に混合され得る。次いで、水は、真空オーブン、従来のオーブン、または凍結乾燥により、固体から除去され得る。次いで、材料は、ブレードグラインダーで粉末に粉砕され得る。
【０１９４】
洗浄剤組成物を製造する方法
固化界面活性剤ブレンドは、様々な洗浄用組成物に含まれ得る。好ましくは、洗浄用組成物は、固体組成物である。好適な固体洗浄用組成物は、顆粒およびペレット化された固体組成物、粉末、固体ブロック組成物、キャスト固体ブロック組成物、押出固体ブロック組成物、プレス固体組成物などを含むが、これらに限定されない。好ましくは、洗浄用組成物は、プレス固体である。
【０１９５】
固体微粒子洗浄用組成物は、乾燥固体成分を適切な比で単にブレンドすることによって、または適切な凝集システム中で材料を凝集させることによって作製され得る。ペレット化された材料は、固体の顆粒または凝集した材料を適切なペレット化設備で圧縮して、適切にサイズ決めされたペレット化された材料を生じることによって製造され得る。固体ブロックおよびキャスト固体ブロック材料は、予備硬化された材料のブロックまたは容器内で固体ブロックに硬化するキャスト可能な液体のいずれかを容器に導入することによって作製され得る。好ましい容器は、使い捨てのプラスチック容器または水溶性フィルム容器を含む。組成物のための他の好適な包装は、可撓性バッグ、小包、収縮ラップ、および、ポリビニルアルコールのような水溶性フィルムを含む。
【０１９６】
固体洗浄用組成物は、バッチまたは連続混合システムを使用して形成され得る。例示的な実施形態では、一軸または二軸スクリュー押出機を使用して、１つ以上の構成成分を高剪断で組み合わせ、混合して、均質な混合物を形成する。いくつかの実施形態では、加工温度は、構成成分の溶融温度未満である。加工された混合物は、形成、キャスティング、または他の好適な手段によって、混合器から分注され得、そこで、洗浄用組成物が固体形態に硬化する。マトリックスの構造は、その硬度、融点、材料分布、結晶構造、および当該技術分野における既知の方法による他の同様の特性に従って、特徴付けられ得る。一般に、本発明の方法に従って加工される固体洗浄用組成物は、成分の分布に関してその質量全体を通じて実質的に均質であり、寸法的に安定的である。
【０１９７】
押出プロセスでは、液体および固体構成成分は、最終混合システムに導入され、構成成分が、構成成分がその質量全体を通じて分配される実質的に均質な半固体混合物を形成するまで、連続的に混合される。混合物は、次いで、混合システムからダイもしくは他の成形手段の中へ、またはそれを通して排出される。生成物は、次いで、包装される。例示的な実施形態では、形成された組成物は、およそ１分間〜およそ３時間で固体形態に硬化し始める。具体的には、形成された組成物は、およそ１分間〜およそ２時間で固体形態に硬化し始める。より具体的には、形成された組成物は、およそ１分間〜およそ２０分間で固体形態に硬化し始める。
【０１９８】
キャスティングプロセスでは、液体および固体構成成分は、最終混合システムに導入され、構成成分が、構成成分がその質量全体を通じて分配される実質的に均質な液体混合物を形成するまで、連続的に混合される。例示的な実施形態では、構成成分は、混合システム中で少なくともおよそ６０秒間混合される。混合が完了すると、生成物は梱包容器に移され、そこで固化が起こる。例示的な実施形態では、キャスト組成物は、およそ１分間〜およそ３時間で固体形態に硬化し始める。具体的には、キャスト組成物は、およそ１分間〜およそ２時間で固体形態に硬化し始める。より具体的には、キャスト組成物は、およそ１分間〜およそ２０分間で固体形態に硬化し始める。
【０１９９】
プレス固体プロセスでは、顆粒固体または他の粒子固体のような流動性固体は、加圧下で組み合わされ得る。プレス固体プロセスでは、組成物の流動性固体は、型枠（例えば、型または容器）内に定置される。方法は、流動性固体を型枠中で穏やかに加圧して、固体洗浄用組成物を製造することを含み得る。圧力は、ブロック機械または回転板プレスなどによって適用され得る。圧力は、約１〜約３０００ｐｓｉ、約５〜約２５００ｐｓｉ、または約１０ｐｓｉ〜約２０００ｐｓｉで適用され得る。本明細書で使用される場合、用語「ｐｓｉ」または「ポンド毎平方インチ」は、加圧されている流動性固体に適用される実際の圧力を指し、加圧している装置においてある点で測定されるゲージまたは水圧を指さない。方法は、固体洗浄用組成物を製造するための硬化工程を含み得る。本明細書で言及される場合、流動性固体を含む硬化されていない組成物は、硬化されていない組成物が安定的な固体洗浄用組成物へと固化するであろう流動性固体を構成する粒子間に、十分な表面接触を提供するように圧縮される。十分な量の互いに接触している粒子（例えば、顆粒）は、安定的な固体組成物を作製するために効果的な粒子同士の結合を提供する。任意選択の硬化工程の包含は、数時間または約１日（またはそれ以上）のような期間の間、プレス固体が固化するのを可能にすることを含み得る。追加的な態様では、方法は、その全体が参照により本明細書に組み込まれる、米国特許第８，８８９，０４８号に開示される方法のような、流動性固体を型枠または型の中で振動させることを含み得る。
【０２００】
プレス固体の使用は、打錠に高圧を必要とする従来の固体ブロックもしくは錠剤組成物、または顕著な量のエネルギーを消費する組成物の溶融を必要とするキャスティングを上回る、ならびに／または高価な設備および高度な技術知識を必要とする押出による、数多くの利点を提供する。プレス固体は、固体洗浄用組成物を作製するために必要である他の固体製剤のかかる様々な限定を克服する。さらに、プレス固体組成物は、組成物が貯蔵され得るまたは取り扱われ得る条件下でその形状を保持する。
【０２０１】
「固体」という用語により、硬化された組成物が、適度な応力もしくは圧力または単なる重力下で流動せず、その形状を実質的に保持するであろうことが、意味される。固体は、粉末、薄片、顆粒、ペレット、錠剤、ドロップ剤、パック、ブリケット、レンガ、固体ブロック、単位用量、または当業者に既知である別の固体形態のような様々な形態であり得る。固体キャスト組成物および／またはプレス固体組成物の硬度は、例えば、コンクリートのように比較的密で硬い融合固体製品の硬度から、硬化ペーストであるとして特徴付けられる硬さまでの範囲であり得る。加えて、用語「固体」は、固体洗浄用組成物の貯蔵および使用の予想される条件下での洗浄用組成物の状態を指す。一般に、洗浄用組成物は、最大およそ１００°Ｆ、具体的には最大およそ１２０°Ｆの温度に曝露される際に、固体形態のままであろうことが、予想される。
【０２０２】
生じる固体洗浄用組成物は、限定されないが、キャスト固体生成物、押出、成型、もしくは形成された固体ペレット、ブロック、錠剤、粉末、顆粒、薄片、プレス固体を含むがこれらに限定されない形態を取ることができるか、または形成された固体は、その後、粉末、顆粒、もしくはフレークに粉砕もしくは形成され得る。例示的な実施形態では、固化マトリックスによって形成される押出されたペレット材料はおよそ５０グラム〜およそ２５０グラムの重量を有し、組成物によって形成される押出された固体はおよそ１００グラム以上の重量を有し、組成物によって形成される固体ブロック洗剤はおよそ１〜およそ１０キログラムの質量を有する。固体組成物は、機能性材料の安定化された供給源を提供する。いくつかの実施形態では、固体組成物は、濃縮溶液および／または使用溶液を生成するために、例えば、水性媒体または他の媒体中に溶解され得る。溶液は、その後の使用および／もしくは希釈のために貯水槽に方向づけられ得るか、または使用点に対して直接適用され得る。
【０２０３】
以下の特許は、本発明の固体洗浄用組成物において利用され得る固化剤、結合剤、および／または硬化剤の様々な組み合わせを開示する。以下の米国特許、米国特許第７，１５３，８２０号、同第７，０９４，７４６号、同第７，０８７，５６９号、同第７，０３７，８８６号、同第６，８３１，０５４号、同第６，７３０，６５３号、同第６，６６０，７０７号、同第６，６５３，２６６号、同第６，５８３，０９４号、同第６，４１０，４９５号、同第６，２５８，７６５号、同第６，１７７，３９２号、同第６，１５６，７１５号、同第５，８５８，２９９号、同第５，３１６，６８８号、同第５，２３４，６１５号、同第５，１９８，１９８号、同第５，０７８，３０１号、同第４，５９５，５２０号、同第４，６８０，１３４号、第ＲＥ３２，７６３号、および第ＲＥ３２８１８号は、参照により本明細書に組み込まれる。
【０２０４】
使用溶液は、固体洗浄用組成物を溶解および希釈することによって調製され得る。使用溶液は、所望の洗浄用途に適した濃度の活性成分を有する。
【０２０５】
洗浄用組成物を使用する方法
固化界面活性剤ブレンドを含む洗浄用組成物は、表面を溶解した形態の洗浄用組成物と接触させることによって使用され得る。使用方法は、洗浄用組成物を分注することも包含する。好ましくは、洗浄用組成物は、溶解しれた形態で分注される。洗浄用組成物は、分注の一部として、分注前、分注後、またはそれらの組み合わせで希釈され得る。分注後、洗浄用組成物は、表面と接触できる。本明細書に記載される場合、表面は、硬面、器物、または洗濯を含み得る。好ましくは、洗浄用組成物は、溶解した形態および希釈された形態にある。いくつかの実施形態では、固体洗浄用組成物は、表面と接触し、その後、水の添加で表面に溶解されることができる。いくつかの実施形態では、固体洗浄用組成物は、溶解した形態で表面と接触し、次いで表面と接触している間に希釈され得る。方法は、洗浄用組成物との接触の前および／または後に、表面を水ですすぐことをさらに含み得る。
【０２０６】
好ましくは、固化界面活性剤ブレンドを含む洗浄用組成物は、同じ成分を有する液体洗浄用組成物と実質的に同様の泡特性を提供する。
【実施例】
【０２０７】
固体洗浄用組成物の様々な実施形態は、様々な比較組成物と共に以下に示されるように形成される。
【０２０８】
様々な実施形態では、固化界面活性剤ブレンドは、（１）次式を有する金属アルキルエーテル硫酸塩であるＣ１２〜１４エーテル硫酸ナトリウム（ＳＬＥＳ）を含み、
【化２３】
2021512212.tif 000027
式中、第１の金属はＮａであり、ａは１であり、ＡＯはエチレンオキシドであり、ｘは１であり、ｙは１１〜１３である。この（１）金属アルキルエーテル硫酸塩は化合物の混合物を含むことが知られており、ｘは０．１〜３の様々な値であり、ｙは１１〜１３の様々な値である。
【０２０９】
様々な実施形態では、固化界面活性剤ブレンドは、（４）次式を有する金属アルキル硫酸塩であるナトリウムＣ１２〜１４（ＳＬＳ）を含み、
【化２４】
2021512212.tif 000028
式中、第２の金属はＮａであり、ｂは１であり、ｚは１１〜１３である。この（４）金属アルキル硫酸塩は化合物の混合物を含むことが知られており、ｚは１１〜１３の様々な値である。
【０２１０】
さらなる実施形態では、固化界面活性剤ブレンドは、ドデシルベンゼンスルホン酸ナトリウムであるＬＡＳナトリウムのような固体界面活性剤を含む。さらなる実施形態では、以下に示すように、様々な添加剤も利用される。
【０２１１】
界面活性剤ブレンド製剤を、表５Ａに従って調製して、ブレンドが固化した組成物を形成するであろうかどうかを決定した。このことは、粉末またはペーストの説明と共に表５Ａに示される。記述子「粉末」は、製剤が固体粉末を形成したことを示す。記述子「ペースト」は、製剤が固体中に形成しなかったことを示す。表５Ａに見られ得るように、例示的な製剤２〜９は、各々粉末を形成した。製剤１は、粉末を形成しなかったが、ペーストであった。
【表４】
2021512212.tif 000029
【０２１２】
ＳＬＥＳおよびＳＬＳは、典型的には、混合物として添加される。表５Ａの組成物では、追加的な量ＳＬＳおよび／または追加的な量の異なる固体界面活性剤も、添加され得る。ＳＬＳ、ＳＬＥＳ、および固体界面活性剤の総重量百分率は、以下に示され、混合物として存在する全ての量と全ての添加量を含んでいる。
【０２１３】
粉末を形成した界面活性剤ブレンドを評価して、以下に詳細に記載されるように、泡の安定性、加工性、および安定性を決定した。これらを、対照製剤に対して試験して、比較特性を評価した。対照１は、Ｃ１２〜１４硫酸ナトリウム粉末であった。対照２は、ペースト形態のＣ１２〜１４エーテル硫酸ナトリウムであった。試験されたこの結果が、以下の表５Ｂに提供される。
【０２１４】
泡安定性試験手順：
界面活性剤ブレンド（２５０ｐｐｍ活性）の４０ｍｌの溶液を、２５０ｍｌのメスシリンダーに添加し、回転装置に定置した。メスシリンダーは、３０ｒｐｍで４分間回転される。各メスシリンダーにおける初期の泡の高さは、記録され、２滴（ピペットで１００マイクロリットル）のコーン油の添加がその後に続く。次いで、メスシリンダーは３０ｒｐｍで２分間回転され、新しい泡の高さが記録される。この手順は、目で見て泡が消滅するまで繰り返される。泡を視覚的に消滅させるために必要な油滴の総数は、「油滴」として表５Ｂに記録される。重複した測定を全ての試料について実行し、上に示された結果は２つの測定の平均を表す。
【０２１５】
総泡体積は、以下のように計算される。
総泡体積＝Σ（個々の泡の高さ）−（泡の高さの数）＊４０ｍＬ
【０２１６】
組成物も、材料の粉末流動特徴を決定するために評価した。このことを、ブルックフィールド粉末流動テスターを使用して達成した。試料組成物を、円筒形セルに定置し、既知の応力下で圧縮した。組成物のカラムに作用する垂直応力は、破損が起こりピーク垂直応力が記録されるまで徐々に増加する。圧密された応力に対する拘束されていない破損強度のプロットにより、流れ関数（ｆｆ）の計算が可能になる。より低い流れ関数値は、自由流動（非凝集性）粉末を示している。約０．４の流れ関数は凝集性かつ非流動性である傾向があることが、見出されている。他の条件、例えば、内部摩擦ならびに第１および第５の圧密強度に基づくこと、０．４の流動関数（ｆｆ）を有するいくつかの実施形態が流動可能であり得ることが可能であるが、典型的には、このことは、当てはることは見出されていない。したがって、約０．４未満の流れ関数（ｆｆ）は、非凝集性の自由流動粉末を示している。好ましくは、固化界面活性剤ブレンドは、約０．４未満、より好ましくは約０．３５未満、最も好ましくは約０．１５〜約０．３５の流れ関数（ｆｆ）を有する。
【表５】
2021512212.tif 000030
【０２１７】
固体粉末を形成した界面活性剤ブレンド組成物のうち、製剤６および９は、所望の非凝集性粉末流動特徴を有し、従来の状況において加工可能であることが、見出された。特定の理論に束縛されることを望まないが、ＰＥＧの添加は形成された粉末の流動性を改善すると、考えられている。粉末を形成した他の組成物、例えば、組成物４は、粘着性が高すぎて、したがって流動性がないことが見出された。組成物６は、流動性であったが、多くのより大規模な商業的プロセスで加工可能であり得るように熱的に安定的ではなかった。製剤９へのアルカリ性源の添加は、製剤の熱安定性を改善し、その結果、大規模な商業的加工に十分な熱安定性を呈することが見出された。
【０２１８】
全体の開示全体を通じた前述の実施形態の全ての組み合わせは、かかる開示が上の単一の段落または節で逐語的に記載されていない場合でも、１つ以上の非限定的な実施形態で本明細書によって明確に企図される。言い換えれば、明確に企図される実施形態は、本開示の任意の部分から選択され組み合わされた、上記の任意の１つ以上の要素を含み得る。様々な非限定的な実施形態では、前述の値の間および前述の値を含む全ての値および値の範囲は、本明細書によって明示的に企図される。
【０２１９】
上記の値のうちの１つ以上は、±５％、±１０％、±１５％、±２０％、±２５％などの分だけ変化できる。予想しない結果が、全ての他のメンバーから独立したＭａｒｋｕｓｈ群の各メンバーから得られ得る。各メンバーは、個々にまたは組み合わせて依存され得、添付の特許請求の範囲内の特定の実施形態に対する適切な支持を提供する。独立および従属の特許請求の範囲の全ての組み合わせの主題は、単独および多重依存の両方で、本明細書に明確に企図される。本開示は、限定よりもむしろ説明の言葉を含む例示的なものである。本開示の多くの修正および変形例は上の教示に照らして可能であり、本開示は本明細書に具体的に記載される以外の方法で実施され得る。
【０２２０】
本開示の様々な実施形態を説明する際に依存される任意の範囲および部分範囲は、かかる値が本明細書に明確に書かれていない場合でも、独立してかつ集合的に添付の特許請求の範囲に含まれ、その中の全体および／または端数の値を含む全ての範囲を説明および企図すると理解されることも理解されたい。当業者は、列挙された範囲および部分範囲が本開示の様々な実施形態を十分に説明および可能にし、かかる範囲および部分範囲が関連する２等分、３等分、４等分、５等分などにさらに描写され得ることを、容易に認識する。ほんの一例として、「０．１〜０．９の」範囲は、さらに下３分の１、すなわち０．１〜０．３、中３分の１、すなわち０．４〜０．６、および上３分の１、すなわち０．７〜０．９に描写され得、このことは個々におよび集合的に添付の特許請求の範囲内にあり、個々におよび／または集合的に依存され、添付の特許請求の範囲内の特定の実施形態に対する適切な支持を提供する。加えて、「少なくとも」、「より大きい」、「未満」、「以下」などのような範囲を定義または変更する言語に関して、かかる言語は、部分範囲および／または上限もしくは下限を含むことを理解されたい。別の例として、「少なくとも１０」の範囲は、少なくとも１０〜３５の部分範囲、少なくとも１０〜２５の部分範囲、２５〜３５の部分範囲などを本質的に含み、各部分範囲は個々におよび／または集合的に依存され、添付の特許請求の範囲内の特定の実施形態に対する適切な支持を提供する。最後に、開示された範囲内の個々の数は、依存され、添付の特許請求の範囲内の特定の実施形態に対する適切な支持を提供することができる。例えば、「１〜９の」範囲は、４．１のような小数点（または分数）を含む個々の数と同様に、３のような様々な個々の整数を含み、このことは依存され、添付の特許請求の範囲内の特定の実施形態に対する適切な支持を提供することができる。
【国際調査報告】
2021512212.tif 000035
2021512212.tif 000036
2021512212.tif 000037